(57)【要約】【課題】遊技機単独による規制された演出内容の変更に対して、遊技システムにより規制されることなく演出内容のカスタマイズを可能とすることにより、多彩で遊技者のニースにあった演出のカスタマイズを可能とする遊技機を提供する。【解決手段】遊技機１単独で演出表示されるキャラクタを選択することで、キャラクタの表示順序を所定の規制範囲で変更可能になっている。サーバ２００では、遊技履歴情報に基づいて積算されるポイントから所定ポイントを用いて設定され、選択が規制されているキャラクタを規制に関係なく選択して表示可能にするカスタマイズが可能になっている。カスタマイズの内容を示すカスタマイズ情報は、遊技機に演出ボタン３６で入力可能な入力コードｗに変換されて遊技機に入力される。このキャラクタは、確変状態が連続する際に、確変状態毎に次のキャラクタに代えられて表示される。【選択図】図１
2014230574.tif 000002
【特許請求の範囲】
【請求項１】
遊技に基づくゲーム推移に応じる演出をするための演出表示情報が表示される演出表示手段と、
遊技者の操作に基づいて外部入力信号を出力する操作手段と、
前記演出表示手段における前記演出表示情報の表示を制御し、
遊技に基づく前記演出内容において所定の選択許可条件が成立する場合に、前記演出表示情報の一部として複数記憶されている特定演出表示情報の中から前記演出表示手段に表示する前記特定演出表示情報を前記演出内容の決定における所定契機、または、前記操作手段からの前記外部入力信号の入力に基づいて選択可能とし、
かつ、複数の前記特定演出表示情報の一部である秘密特定演出表示情報を、前記選択許可条件が成立しても遊技に基づくゲーム結果で所定の規制解除条件が成立するまで演出中に表示できないように規制する演出表示制御手段と、
前記演出表示手段における前記演出表示情報の表示の変更指令を示す演出表示変更情報を含む入力コードを遊技者の操作により入力可能とするコード入力手段と、
前記コード入力手段から入力された前記入力コードに示される前記演出表示変更情報に基づいて前記演出表示制御手段により制御される前記演出表示手段における前記演出表示情報の表示を変更する遊技演出変更手段と、
前記コード入力手段から前記入力コードが入力されてから遊技中に行われる１種以上のゲームに関する履歴を示す遊技履歴情報を順次更新記憶する遊技履歴情報記憶手段と、
前記入力コードの入力後の遊技者の操作に基づいて、前記遊技履歴情報記憶手段に記憶された前記遊技履歴情報を所定の端末から読み取り可能な出力コードに変換して出力可能とするコード出力手段と、
を備え、
前記遊技演出変更手段は、
前記端末に接続される所定のサーバにより、前記出力コードに変換された前記遊技履歴情報に基づいて積算されるポイントから所定ポイントを用いる交換に応じて設定され、
かつ、前記秘密特定演出表示情報を前記規制解除条件が満たされなくても選択して演出中に表示可能にするか、
または、前記規制解除条件を緩和する条件変更を可能にする前記演出表示変更情報を示す前記設定に応じた入力コードが前記コード入力手段により入力されると、
前記コード出力手段により前記出力コードが出力されるまでの期間に、前記選択許可条件が満たされた場合に、前記規制を解除して前記秘密特定演出表示情報を選択可能にするか、または、前記規制解除条件を緩和する条件変更を可能にすることを特徴とする遊技機。
【請求項２】
前記入力コードに含まれる前記演出表示変更情報では、
それぞれ互いに異なる演出カテゴリーに係る複数のモードのいずれかに割り振られた１つ以上の前記秘密特定演出表示情報毎に、
前記規制解除条件が満たされなくても前記秘密特定演出表示情報を選択可能にするか、または、前記規制解除条件を緩和する条件変更を可能にし、
前記条件変更を前記モード毎の前記ポイントの値に応じた設定により可能とされていることを特徴とする請求項１に記載の遊技機。
【発明の詳細な説明】
【技術分野】
【０００１】
本発明は、スマートフォン等の端末と、端末と通信可能なサーバと連携して、遊技の演出をカスタマイズ可能な遊技機に関する。
【背景技術】
【０００２】
従来、所謂パチンコ機やパチスロ機等の遊技機においては、所定の遊技抽選の結果に応じて、抽選結果が導出されるまでにアニメーション画像や動画などにより構成される多様な演出表示を例えば液晶ディスプレイ等によって構成された演出表示装置上に表示することにより、遊技を盛り上げる趣向が凝らされている。
【０００３】
また、パチンコ遊技機では、所定契機に基づいて特別図柄（特図）の変動表示ゲームが行われ、この変動表示ゲームが大当たりとなると、所謂アタッカが開閉を繰り返す大当たり状態が発生し、アタッカに多くの遊技球を入賞させることが可能である。
【０００４】
また、大当たり状態後に再び変動表示ゲームを行う遊技状態となるが、この際に、変動表示ゲームの大当たりの当選確率が低い低確率状態と、低確率状態より大当たりの当選確率が高い高確率状態とがある。
【０００５】
また、変動表示ゲームの開始の契機を付与する始動入賞口には、例えば、開閉する電動チューリップ（電チュー）が設けられ、この電チューが開放すると始動入賞口に遊技球が入賞し易い状態となる。変動表示ゲームが行われる遊技状態においては、この電チューの単位時間当たりの開放回数が少なく、かつ、開放時間が短い非電チューサポート状態（非電サポ状態）と、非電サポ状態に対して電チューの単位時間当たりの開放回数が増加可能で、かつ、開放時間を長くすることが可能な電チューサポート状態（電サポ状態）とがある。なお、大当たり状態では、非電サポ状態となる。
【０００６】
上述の高確率状態と、電サポ状態とが同時に発生するのが所謂確率変動（確変）状態である。また、大当たりの種類に、例えば、確変大当たりと通常大当たりとがあり、確変大当たり後の大当たり状態が終了すると、確変状態となり、通常大当たり後の大当たり状態が終了すると通常の状態としての低確率状態および非電サポ状態となる。
【０００７】
遊技機によっては、確変大当たりの発生確率が７０％以上等のように高くなっているものがある。この場合に確変大当たりが連続して発生する可能性が高い。
例えば、確変状態中の変動表示ゲームが確変大当たりとなって大当たり状態後に確変状態となり、再び、確変状態中の変動表示ゲームで確変大当たりとなって大当たり状態後に確変状態となることが繰り返される可能性がある。但し、通常大当たりが発生することで、確変状態の繰り返しは終了する。
【０００８】
この際の演出として、確変大当たり後の大当たり状態毎に新たなキャラクタが順番に出現し、大当たり状態後の確変状態中の変動表示ゲームの演出で、このキャラクタに挑戦する演出が行われる。確変状態中の大当たりとなる変動表示ゲームでは、挑戦に成功する演出表示が行われる遊技機が知られている（例えば、特許文献１参照）。この変動表示ゲームの結果の大当たりが確変大当たりならば、大当たり状態中の演出で、次のキャラクタが登場する（表示される）。次の確変状態中の変動表示ゲームでは、次のキャラクタに挑戦する演出が行われる。
【０００９】
また、各キャラクタは、デフォルトの順番が決まっており、例えば、２１個のキャラクタが設定されていれば、確変状態が２１回繰り返される間、各確変状態において、異なるキャラクタが表示される。したがって、例えば、１０番目以降のキャラクタは、確変状態が１０回以上繰り返されることがないと見られないことになる。
【００１０】
そこで、この遊技機では、大当たり状態の前半の演出でキャラクタの選択が可能になっている。
すなわち、キャラクタの一覧が表示され、ジョグダイヤルとしても使用可能な演出ボタンのジョグダイヤルでキャラクタを選択し、その後に演出ボタンを押下することにより、次の確変状態で登場するキャラクタが決定される。
【００１１】
これにより、自分が好きなキャラクタを選択して登場させられる、例えば、確変状態の繰り返し回数の平均が５回程度の場合に、１０番目以降のキャラクタが見られるチャンスはあまりないが、キャラクタを選択できることから、デフォルトの設定の順番が遅いキャラクタでも遊技者が選択することにより優先的に見られるようになっている。
【００１２】
但し、例えば、最後のキャラクタや最後から数人のキャラクタは、上述のように選択することができないようになっており、例えば、２１回確変状態を繰り返さないと、２１番目のキャラクタを見ることができないようになっている。
したがって、例えば、２１番目のキャラクタは、２１回確変状態を繰り返すことができた遊技者にしか見ることができないプレミアムキャラクタとなる。
【００１３】
このような演出によれば、プレミアムキャラクタを除いて、気に入ったキャラクタを先に登場させることができるので、例えば、確変状態の繰り返し数が少なかった場合に自分が好きなキャラクタを見られなかったことによる不満が生じるのを防止し、確変状態の繰り返しが長続きしなかったことに対する遊技者の不満を緩和することができる。
また、所定の繰り返し数を達成することにより、プレミアムキャラクタが見られた場合に、遊技者は大きな満足感を得ることができる。
【００１４】
また、近年の遊技機においては、ネットワーク上に設けられた特定のサーバ（コンピュータ）と、当該サーバと無線通信回線を介して通信可能なスマートフォンや携帯電話（フィーチャーフォン）等の無線通信機能を有する端末とを用い、端末を介して、遊技機とサーバとを連携させる遊技システムが提案されている。
【００１５】
なお、遊技機は、スマートフォン等の外部の電子機器と直接データ通信できない構成となっているので、例えば、遊技機とスマートフォンとでは、テキストの手入力や二次元バーコード（例えば、ＱＲコード（登録商標））等を用いて情報のやり取りを行う。
【００１６】
このような遊技システムは、例えば演出表示に登場するキャラクタや演出図柄の形態、或いは特定の演出頻度等の演出上の要素を遊技者の任意により選択，変更（カスタマイズ）し得るシステムであり、例えば、端末となるスマートフォンを介してサーバ上において、遊技の進行によって得られたポイントと引き換えに上記の要素をカスタマイズし、変更後のカスタマイズ情報に基づいて実際の遊技を進行可能なシステムである（例えば、特許文献２，３を参照）。また、ポイントが溜まることに対応して、通常遊技者が認識し難い潜伏確変を遊技者に示唆可能な演出表示制御を行う遊技機が提案されている（例えば、特許文献４参照）。
【００１７】
変更後のカスタマイズ情報の遊技機への反映は、主にサーバによって発行される例えばテキスト化されたコード（パスワードと言われる場合がある）を遊技機に対して入力することにより行われ、遊技機はパスワードを解析することによって、遊技者が任意に選択，変更したカスタマイズ情報を演出表示に反映させる。このようなシステムにより、遊技者は遊技機に予め設定されているデフォルトの演出表示の他に、自らが選択，変更した遊技者個人の専用演出を視認することが可能となる。
【先行技術文献】
【特許文献】
【００１８】
【特許文献１】特開２０１１−４３７９１号公報
【特許文献２】特開２００９−１９５４３２号公報
【特許文献３】特開２００４−２６１２７９号公報
【特許文献４】特開２００７−１５１９６６号公報
【発明の概要】
【発明が解決しようとする課題】
【００１９】
ところで、特許文献１では、上述の遊技システムを用いなくても、遊技の演出内容としてのキャラクタの登場順を変更可能となっている。したがって、遊技者は、遊技システムへの会員登録、スマートフォンを用いての遊技演出の変更操作、遊技演出の変更がコード化されたパスワードの遊技機への入力操作等を行わなくても、遊技機で直接遊技内容の変更操作が可能になる。
【００２０】
この場合に、単純に二通りある演出内容（ストーリー）から一方の演出内容を選択するような演出の変更ではなく、多数のキャラクタから次に登場するキャラクタを順次選択することが可能であり、より詳細に演出内容を変更できることになる。
以上のことから、遊技システムの存在意義が薄れてしまう虞がある。
そこで、遊技機単独の機能としての演出内容の変更と、遊技システムを用いた演出内容の変更とを可能とすることにより、より多彩で遊技者を喜ばせることが可能な演出を可能とすることが求められている。
【００２１】
本発明は、前記事情に鑑みて為されたもので、遊技機単独による規制された演出内容の変更に対して、遊技システムにより規制されることなく演出内容のカスタマイズを可能とすることにより、多彩で遊技者のニースにあった演出のカスタマイズを可能とする遊技機を提供することを目的とする。
【課題を解決するための手段】
【００２２】
前記課題を解決するために、本発明の遊技機は、遊技に基づくゲーム推移に応じる演出をするための演出表示情報が表示される演出表示手段と、
遊技者の操作に基づいて外部入力信号を出力する操作手段と、
前記演出表示手段における前記演出表示情報の表示を制御し、
遊技に基づく前記演出内容において所定の選択許可条件が成立する場合に、前記演出表示情報の一部として複数記憶されている特定演出表示情報の中から前記演出表示手段に表示する前記特定演出表示情報を前記演出内容の決定における所定契機、または、前記操作手段からの前記外部入力信号の入力に基づいて選択可能とし、
かつ、複数の前記特定演出表示情報の一部である秘密特定演出表示情報を、前記選択許可条件が成立しても遊技に基づくゲーム結果で所定の規制解除条件が成立するまで演出中に表示できないように規制する演出表示制御手段と、
前記演出表示手段における前記演出表示情報の表示の変更指令を示す演出表示変更情報を含む入力コードを遊技者の操作により入力可能とするコード入力手段と、
前記コード入力手段から入力された前記入力コードに示される前記演出表示変更情報に基づいて前記演出表示制御手段により制御される前記演出表示手段における前記演出表示情報の表示を変更する遊技演出変更手段と、
前記コード入力手段から前記入力コードが入力されてから遊技中に行われる１種以上のゲームに関する履歴を示す遊技履歴情報を順次更新記憶する遊技履歴情報記憶手段と、
前記入力コードの入力後の遊技者の操作に基づいて、前記遊技履歴情報記憶手段に記憶された前記遊技履歴情報を所定の端末から読み取り可能な出力コードに変換して出力可能とするコード出力手段と、
を備え、
前記遊技演出変更手段は、
前記端末に接続される所定のサーバにより、前記出力コードに変換された前記遊技履歴情報に基づいて積算されるポイントから所定ポイントを用いる交換に応じて設定され、
かつ、前記秘密特定演出表示情報を前記規制解除条件が満たされなくても選択して演出中に表示可能にするか、
または、前記規制解除条件を緩和する条件変更を可能にする前記演出表示変更情報を示す前記設定に応じた入力コードが前記コード入力手段により入力されると、
前記コード出力手段により前記出力コードが出力されるまでの期間に、前記選択許可条件が満たされた場合に、前記規制を解除して前記秘密特定演出表示情報を選択可能にするか、または、前記規制解除条件を緩和する条件変更を可能にすることを特徴とする。
【００２３】
このような構成によれば、遊技に基づく演出中において選択許可条件が成立すれば、演出内容の決定における所定契機、または、遊技機の操作手段により表示する特定演出表示情報を選択可能とするが、選択許可条件が成立しても複数記憶されている特定演出表示情報のなかから秘密特定演出表示情報の選択を規制し、遊技者の操作に基づく入力コードの入力後の遊技に基づくゲーム結果（例えば、遊技中の変動表示ゲームの実行回数、大当たりとなった変動表示ゲームの回数、変動表示ゲーム中に行われるミッション達成型ゲーム（変動表示ゲーム中に行われても変動表示ゲームとは別の種類のゲーム）におけるミッション達成の回数等）で規制解除条件が成立した場合にのみ秘密特定演出表示情報が選択可能になる。
なお、秘密特定演出表示情報とは、演出表示手段（可変表示装置３）の画面の背景画像の変化規制情報、装飾図柄の形状変化規制情報、装飾図柄の変動表示態様の変化規制情報、さらには、演出の進行に伴って出力される動画像（例えば、キャラクタ）や出力音声の変化規制情報、および、これら各演出の変化の組み合わせ規制情報を広く含むものである。
【００２４】
一方、端末が遊技機から出力されるとともに遊技の履歴が記憶された遊技履歴情報を含む出力コードを読み取ってサーバに出力した際に、遊技履歴情報における遊技の履歴（例えば、遊技中の変動表示ゲームの実行回数、大当たりとなった変動表示ゲームの回数、変動表示ゲーム中に行われるミッション達成型ゲームにおけるミッション達成の回数等）に基づいて付与されるとともに積算された所定のポイントを用いる交換に応じて設定されることにより、サーバにおいて、秘密特定演出表示情報の表示を選択可能にさせることに関する指令情報（演出表示変更情報）が生成できるようになる。
【００２５】
この秘密特定演出表示情報の表示可能にさせることに関する指令情報を含む演出表示変更情報がサーバから端末に入力コードとして送信される。
この入力コードを遊技者の操作に基づいて遊技機にコード入力手段を用いて入力すると、この入力コードの入力後の遊技者の操作に基づく出力コードの出力時までの遊技の期間では、規制解除条件が成立していなくとも、遊技に基づく演出中において秘密特定演出表示情報を遊技機の演出表示手段に表示する（選択可能とする）ことができる。
【００２６】
または、秘密特定演出表示情報の表示に規制解除条件の成立を必要とするが、上述の入力コードの入力に基づいて規制解除条件が緩和される。例えば、規制解除条件が確変状態の繰り返し回数（確変状態を発生させる大当たりとしての確変大当たりの連荘数）が２０回を超えて２１回となったことである場合に、規制解除条件を例えば、連荘数が５回を超えて６回となったことのように緩和するものとしてもよい。
【００２７】
この場合に、連荘数が６となる（緩和された規制解除条件の成立となる）場合に、上述の入力コードが入力されていると、６回連荘する際に、例えば、確変状態の遊技に基づく演出中において特定演出表示情報とともに秘密特定演出表示情報も選択可能になる。
【００２８】
以上の構成によれば、遊技者の操作に基づく遊技システムを用いなくても秘密特定演出表示情報を選択して表示できる場合があるという演出表示の変更規制が可能であっても、さらに、遊技者の操作に基づく遊技システムを用いることにより、遊技機単独では、規制解除条件が成立するまで、表示させることができない秘密特定演出表示情報を意図的に表示可能になる。
規制解除条件の成立が難しいものである場合に、例えば、遊技する時間が少ない遊技者の多くは、規制解除条件を解除できず秘密特定演出表示情報を演出表示手段に表示させる（選択可能とする）ことができず、見たくても見られない。
また、遊技する時間が多い遊技者であっても、必ずしも規制解除条件を成立させて秘密特定演出表示情報を見られるわけではない。
【００２９】
この場合に、遊技に基づくゲーム結果で、規制解除条件を成立させて秘密特定演出表示情報が表示された場合に、遊技者は大きな達成感を得られる可能性が高い。
しかし、多くの遊技者は、秘密特定演出表示情報を見ることができないが、上述の所定のサーバにアクセス可能とする遊技システムの利用可能条件を満たす（例えば、会員となる）ことにより、遊技履歴情報に基づいて清算されるポイントを貯めれば見ることが困難な（成立が難しい規制解除条件に係る）秘密特定演出表示情報を意図的に見られるか、見られる可能性が高くなる。
【００３０】
これにより、例えば、遊技者に遊技システムの会員になることを促すことができる。
この場合に、遊技者は、成立が困難な規制解除条件を解除しなくとも遊技システムの会員となって遊技履歴情報に基づいて積算されるポイントを所定のサーバにて貯めることにより、遊技者の操作による入力確変状態の遊技に基づく演出中においてコードの入力に基づいて秘密特定演出表示情報を見る機会を増やすことができることから、秘密特定演出表示情報を表示させるために、規制解除条件を成立させようとして、過剰に遊技に投資してしまうのを防止できるとともに、ポイントを貯めるためにある程度遊技店で遊技する必要があることから、遊技者および遊技店の両方にとって効果のある発明となる。
【００３１】
なお、遊技に基づくゲーム推移とは、例えば、遊技者がパチンコ遊技機で遊技球を発射する操作を行うことで遊技が行われ、これに基づいて、例えば、遊技球が始動入賞することなどの契機により、変動表示ゲーム等のゲームが開始され、はずれまたは当たりのゲーム結果に至るまでゲームが推移していくことや、当たりのゲーム結果に基づいて例えばアタッカが開放する大当たり遊技状態が発生したり、大当たり遊技状態後に確変状態になったりすることである。
【００３２】
本発明の前記構成において、前記入力コードに含まれる前記演出表示変更情報では、
それぞれ互いに異なる演出カテゴリーに係る複数のモードのいずれかに割り振られた１つ以上の前記秘密特定演出表示情報毎に、
前記規制解除条件が満たされなくても前記秘密特定演出表示情報を選択可能にするか、または、前記規制解除条件を緩和する条件変更を可能にし、
前記条件変更を前記モード毎の前記ポイントの値に応じた設定により可能とされていることを特徴とすることが好ましい。
【００３３】
このような構成によれば、秘密特定演出表示情報が複数あるとともに、これら秘密特定演出表示情報が互いに異なる演出カテゴリに係る複数のモード（例えば、可変表示装置３の画面に係るステージ）に分けられているので、遊技システムに係るサーバ側において、各モードのステージを選択し、選択されたステージに属するポイントの値（互いに異なる値、または同一の値を含む）に応じた設定により秘密特定演出表示情報を選択させることに関する指令情報（演出表示変更情報；；入力コード）を生成させることができるようになる。
【００３４】
この場合に、各ステージの秘密特定演出表示情報を選択する際に、それぞれポイントを必要とするようにすれば、遊技者は所有するポイント（所定ポイントを用いる交換に応じて設定される入力コードの態様種類）に応じて、複数のステージを選択対象としたり、１つのステージを選択対象としたりすることが可能である。
これにより、遊技者によっては、多くのポイントを貯めなくとも、自分が見たいステージの秘密特定演出表示情報を見る（規制解除条件の無効または緩和の）ために少な目の第１ポイント値を交換に使ったり、全てのステージの全ての秘密特定演出表示情報を見るために第１ポイント値よりも多い第２ポイント値を貯めて交換に使ったりすることができる。すなわち、遊技者のポイント交換の使い方に多くのバリエーションが増えることになり、遊技者にポイント交換を使う楽しみや、ポイントを貯める楽しみをより多く提供することができる。
【００３５】
なお、演出カテゴリとは、たとえば、演出内容の分類であり、各演出カテゴリの下の階層に、演出の種類として演出のモードが設定されている。なお、基本的には、各カテゴリに複数のモードが設定されているが、カテゴリによっては、１つのモードしか設定されていないものがあってもよい。また、演出内容の決定における所定契機とは、例えば、操作手段からの外部入力信号の入力ができない場合や、遊技者が操作手段を操作しなかった場合などに、例えば、外部入力信号の入力期間が終了した際や、外部入力信号が入力できないことが確定する際などを、所定の契機として、例えば、自動的に複数の特定演出表示情報から設定された優先順位等に基づいて一つの特定演出表示情報が選択されることになる。
【発明の効果】
【００３６】
本発明によれば、遊技機での遊技の演出表示の変更機能と、遊技機、端末およびサーバからなる遊技システムを用いた遊技の演出表示の変更機能との両方があることから、遊技者の選択に基づいて多様な演出表示を行うことができる遊技機を提供することができる。
【図面の簡単な説明】
【００３７】
【図１】本発明の第１の実施の形態の遊技機を含む遊技システムを示すブロック図である。
【図２】前記遊技機の遊技盤を示す正面図である。
【図３】前記遊技機の制御系を説明するためのブロック図である。
【図４】前記遊技機のサブ制御装置で行われる初当たり時の確変状態演出表示決定処理を説明するためのフローチャートである。
【図５】前記遊技機のサブ制御装置で連続する確変大当たりの際に行われる確変状態演出表示決定処理を説明するためのフローチャートである。
【図６】本発明の第２の実施の形態の遊技機のサブ制御装置で大当たりの際に行われる大当たり時演出決定処理を説明するためのフローチャートである。
【図７】第２の実施の形態の遊技機のサブ制御装置で大当たり状態の際に行われる大当たり状態演出決定処理を説明するためのフローチャートである。
【発明を実施するための形態】
【００３８】
本発明の第１の実施の形態について図面を参照して説明する。
図1に示すように、この実施の形態の遊技機は、遊技システムの一部を構成するようになっている。この遊技システムは、パチンコ遊技機としての遊技機１と、例えば、スマートフォンや携帯電話（フューチャーフォン）である端末１００と、インターネット（ネットワーク）９０を介して端末１００と接続可能なコンピュータシステムであるサーバ２００とを備える。
【００３９】
端末１００は、例えば、スマートフォンであり、無線の電話回線やＷｉＦｉ等を用いる無線通信装置１０１を備え、インターネット９０に接続可能になっている。
また、端末１００は、コンピュータシステムとしてアプリケーションを実行可能な環境を有し、アプリケーションを実行するＭＰＵを備えた制御装置１０２と、アプリケーションやアプリケーション等で用いられるデータや、後述のカメラ１０３で撮影された画像情報や、マイクや通話により入力された音声情報や、インターネット９０からダウンロードしたデータ等を記憶するフラッシュメモリ等の記憶装置１０４とを備える。
【００４０】
また、端末１００は、制御装置に制御されてアプリケーションの実行に基づく各種画像（テキストを含む）の表示、カメラ１０３で撮影された画像（静止画・動画含む）情報の表示、ダウンロードとされたテキスト、画像等の情報（ウェブページを含む）を表示するディスプレイ１０５を備える。このディスプレイ１０５は、タッチパネル機能を有するものであり、ディスプレイ１０５として画像を表示するとともに、ポインティングデバイスとして、ディスプレイ１０５に表示されたボタンやテキスト入力画面等にタッチすることなどにより、コマンドや情報の入力が可能になっている。
【００４１】
また、端末１００は、上述のカメラ１０３を備える。また、端末１００は、遊技システム専用アプリケーション（専用アプリ）がインストールされた状態となっており、この専用アプリには、例えば、バーコードや二次元コード等の光学読み取り可能な出力コードｘの読み取り用プログラムが含まれており、カメラ１０３でバーコードや二次元コード等の出力コードｘを撮影すると、出力コードｘが示すコードを読み取れるようになっている。このコードは、例えば、テキストのコード（アスキーコードやシフトＪＩＳコード等）であったり、バイナリーコードであったり、その他の特定のコードであったりしてもよい。
【００４２】
端末１００の専用アプリは、サーバ２００のウェブサーバプログラムにより公開されるウェブサイトに接続するためのＵＲＬやＩＰアドレス等の接続情報を有し、サーバ２００が公開するウェブサイトをディスプレイ１０５に表示可能で、かつ、ウェブサイトのウェブページが入力画面であれば、表示されるソフトウェアキーボード等により情報入力が可能になっている。
【００４３】
サーバ２００は、通信装置２０１を有し、インターネット９０に接続され、インターネット９０を介して端末１００とデータ通信可能になっている。また、サーバ２００は、コンピュータシステムとしてＣＰＵ等からなる演算処理装置２０２とストレージ装置２０３を備え、各種プログラムを並列に実行可能になっている。
また、サーバ２００には、ウェブサーバのプログラムがインストールされており、この遊技システムの一部を構成するウェブサイト（ウェブページ）をインターネット９０上に公開するようになっている。
【００４４】
このウェブサイトでは、この遊技システムの会員登録を行うようになっており、ストレージ装置２０３には、登録された会員のアカウント（携帯電話としての固体識別番号を含んでもよい）、会員名（ニックネーム等）、各会員の遊技履歴情報およびカスタマイズ情報等が、会員毎に登録される会員データベース２０４が記憶されている。
【００４５】
上述のように端末１００と、サーバ２００は、インターネットを介してデータ通信可能であり、サーバ２００が公開するウェブサイトに端末１００がアクセスすることにより、端末１００からのデータのアップロードと、サーバ２００からのデータのダウンロードが可能である。
【００４６】
それに対して、遊技機１は、スマートフォンや携帯電話等の遊技店の設備以外の外部機器とデータ通信によるデータの入出力ができない構成となっているとともに、遊技店の設備からのデータ入力はできず、ホールコンピュータ２０等の遊技店の設備にデータの出力が可能になっている。したがって、遊技機１は、端末１００や、サーバ２００とデータ通信できないが、遊技機１は、後述のサブ制御装置３０により表示制御される可変表示装置（演出表示手段）３に、出力するデータとして上述の出力コードｘを表示することにより、端末１００に読み取り可能にデータ出力可能になっている。
【００４７】
また、サーバ２００は、遊技機１に出力すべきデータを特定のアルゴリズムにより特定のコードにコード化するとともにこのコードを示すテキスト（文字列）に変換し、この文字列を遊技機1側で認証可能で、かつ、入力すべきデータを有するパスワード（入力コードｗ）として、端末１００に出力するようになっている。
【００４８】
端末１００では、上述の専用アプリを起動して、サーバ２００のウェブサイトを表示している状態で、ウェブページ上の入力コードｗがディスプレイ１０５に表示可能となっており、会員としての遊技者が、表示を見て遊技機１に入力コードｗを入力するようになっている。この際には、遊技機１の可変表示装置３の表示（例えば、ソフトウェアキーボード）と、演出ボタン３６の操作により文字列が入力可能になっている。
【００４９】
なお、図１において、符号１ａは遊技球を貯留するととともに遊技球を発射する発射装置に遊技球を供給する上皿、符号１ｂは球を貯留するとともに上皿１ａからオーバーフローした遊技球を受ける下皿、符号１ｃは遊技球の発射と発射停止を操作するとともに発射勢を操作するための操作ハンドルである。なお、操作ハンドル１ｃは、後述の発射ボリューム４４を操作することにより、遊技球の発射と発射勢を操作可能になっている。
【００５０】
このような構成により、遊技機１と端末１００との間で、データの送受が可能になるとともに、端末１を介して遊技機１とサーバ２００とでデータの送受が可能になっている。
【００５１】
この遊技システムにおける遊技機１は、図２に示すように、発射された遊技球が流下する遊技領域２ａを備える遊技盤２を有する。
遊技盤２の盤面上の遊技領域２ａ内には、演出表示を行う演出表示手段と上述の出力コードｘを表示するコード出力手段としての可変表示装置３が設けられている。可変表示装置３は遊技領域２ａ内の略中央部に設けられている。
【００５２】
また、可変表示装置３は液晶表示装置からなるもので、主制御手段としての主制御装置（主制御手段）１４で行われる抽選の各種大当たり（当たり）およびはずれの抽選結果を表示するものであり、抽選結果の表示に際し、識別情報としての装飾図柄の変動表示ゲームを表示し、この変動表示ゲームの大当たりおよびはずれによって抽選結果を報知するようになっている。また、変動表示ゲームの表示に際し、各種演出表示を行うようになっている。
【００５３】
遊技盤２の下部には、第１および第２特図表示装置４ａ，４ｂが設けられている。第１および第２特図表示装置４ａ，４ｂは、例えば、７セグ等のセグメント型のＬＥＤ表示装置からなる。第１および第２特図表示装置４ａ，４ｂは、変動表示ゲーム（特別図柄の変動表示ゲーム）における図柄の変動の変動パターンの一部として設定される変動表示時間だけ変動表示（一部のセグメントを点滅表示）した後に識別情報としての特別図柄（特図）を停止表示する。
【００５４】
ここで、第１および第２特図表示装置４ａ，４ｂの前記点滅表示後に複数種類の特図から１種類の特図（停止図柄）を停止表示する特図の変動表示ゲームには、第１特図表示装置４ａで行われる第１変動表示ゲームと、第２特図表示装置４ｂで行われる第２変動表示ゲームとがある。第１変動表示ゲームと第２変動表示ゲームとは、同時に行われることがなく、後述の変動表示ゲームの開始条件に基づいて、第１変動表示ゲームより第２変動表示ゲームが優先的に開始される。
【００５５】
言い換えれば、開始可能な第２変動表示ゲームが後述のように保留されている場合には、第１変動表示ゲームの開始条件が成立しない。また、可変表示装置３に表示される装飾図柄の変動表示ゲームは、第１変動表示ゲームまたは第２変動表示ゲームのうちの実行されている第１または第２変動表示ゲームと略同時に表示されるとともに、実行されている第１または第２変動表示ゲームと同じ結果になる実質的に同一のゲームである。
【００５６】
また、可変表示装置３には、画面の周縁部分に後述の保留数の表示が行われる保留数表示領域３１ａ、３１ｂが設定されている。主制御装置１４では、第１始動球検知センサ５３ａから第１始動入賞信号が入力した場合に、上限になる数値（例えば４）の範囲内で第１保留数に１加算し、この始動入賞に基づいて第１変動表示ゲームおよび装飾図柄の変動表示ゲームが開始される場合に、保留数から１減算する。この第１保留数が後述のサブ制御装置（副制御手段）３０を介して保留数表示領域３１ａに保留表示マークの数として表示される。
【００５７】
同様に、主制御装置１４では、第２始動球検知センサ５３ｂから第２始動入賞信号が入力した場合に、上限になる数値（例えば４）の範囲内で第２保留数に１加算し、この始動入賞に基づいて第２変動表示ゲームおよび装飾図柄の変動表示ゲームが開始される場合に、保留数から１減算する。この第２保留数がサブ制御装置３０を介して保留数表示領域３１ｂに保留表示マークの数として表示される。なお、後述のようにこれら保留数は、状態表示装置９でも表示される。
【００５８】
前記可変表示装置３の直ぐ下には、第１始動入賞口５２が設けられている。
また、第１始動入賞口５２の下に第２始動入賞口５４を備えた所謂電動チューリップ（電チュー）と呼ばれる普通変動入賞装置５が設けられている。
この普通変動入賞装置５は、開閉動作自在な１対の可動片５１，５１を備え、第２始動入賞口５４に遊技球が入賞できない可動片５１，５１が閉じた状態（閉状態）と、第２始動入賞口５４に遊技球が入賞し易くなるように可動片５１，５１が開いた状態（開状態）との間で可変するようになっている。
【００５９】
なお、閉じた状態の２つの可動片５１，５１の間には、遊技球が通過可能な遊技球の直径より少し広い間隔が開けられているが、この例では、閉じた可動片５１，５１の直上に第１始動入賞口５２があり、可動片５１，５１が閉じた状態で遊技球が第２始動入賞口５４に入賞できないようになっている。
【００６０】
第１始動入賞口５２には、遊技球の入賞を検知する第１始動球検知センサ５３ａ（図３に図示）が設けられており、第１始動球検知センサ５３ａは、主制御装置１４に、遊技球が第１始動入賞口５２に入賞した際に第１始動入賞信号を出力する。また、第２始動入賞口５４には、遊技球の入賞を検知する第２始動球検知センサ５３ｂ（図３に図示）が設けられており、第２始動球検知センサ５３ｂは、主制御装置１４に、遊技球が第２始動入賞口５４に入賞した際に第２始動入賞信号を出力する。主制御装置１４は、第１始動入賞信号の入力に基づいて第１変動表示ゲームの大当たりおよびはずれを決める乱数を取得し、第２始動入賞信号の入力に基づいて第２変動表示ゲームの大当たりおよびはずれを決める乱数の取得を行う。これら第１変動表示ゲームおよび第２変動表示ゲームの大当たり判定に用いられる乱数は、後述のハード乱数発生回路１４ｅで生成されたハード乱数が用いられる。
【００６１】
普通変動入賞装置５の下側に、大入賞口６１を有する特別変動入賞装置（アタッカ）６が設けられている。このアタッカ６には、大入賞口６１を開閉する可動扉６２が備えられている。通常の状態では可動扉６２は、遊技球を大入賞口６１に流入させないように立って閉じた閉状態になっている。また、第１変動表示ゲームまたは第２変動表示ゲームの結果が大当たりになり、大当たり状態が発生した場合に遊技球が流入し易いように可動扉６２が前に略水平に倒れて開いた開状態になる。この場合に、可動扉６２は、設定されたラウンド数だけ開閉動作を繰り返す。また、大入賞口６１には、大入賞口６１に入賞した遊技球を検知する大入賞球検知センサ６３（図３に図示）が設けられている。
【００６２】
可変表示装置３の左側方には、普通図柄（普図と略す）ゲート７が設けられている。また、普図ゲート７には、普図ゲート７内を通過した遊技球を検知する通過球検知センサ７ａ（図３に図示）が設けられ、通過球検知センサ７ａは遊技球を検知すると主制御装置１４に通過球検知信号を出力する。当該通過球検知信号の入力に基づいて主制御装置１４は、普通変動入賞装置５を開状態とする当たりと、普通変動入賞装置５を閉状態のままとするはずれとを抽選する普図抽選を行う。この普図抽選の結果は、普図の変動表示ゲーム（普図ゲーム：普通ゲーム）を可変表示装置３の端の部分と、後述の状態表示装置９内の普図表示装置８（図３に図示）とに表示することにより報知される。
【００６３】
普図ゲームが当たりになった場合に、普通変動入賞装置５が開放し、第２始動入賞口５４への遊技球の入賞率が高まり、第２変動表示ゲームの開始機会が増加するようになっている。また、遊技領域２ａの左側部には、複数の一般入賞口１０，１０が設けられている。また、一般入賞口１０，１０に対応して、一般入賞口１０，１０に入賞した遊技球を検知する一般入賞球検知センサ１１（図３に図示）がそれぞれ設けられている。
【００６４】
また、遊技盤２には、大当たり状態の際の大当たりの種類に基づくラウンド数、第１変動表示ゲームの保留数、第２変動表示ゲームの保留数、また、これら保留数と同様に求められる普図の変動表示ゲームの普図保留数等を表示するとともに、普図表示装置８を備えた状態表示装置９が設けられている。
【００６５】
なお、普図保留数は、主制御装置１４により、普図ゲート７を遊技球が通過して、通過球検知センサ７ａから主制御装置１４に通過球検知信号が入力した際に、上限になる数（例えば、４）の範囲で、１加算され、普図の変動表示ゲームが開始されると１減算される。なお、普図の表示ゲームの開始条件は、普図の変動表示ゲームおよび普通変動入賞装置５の開放が行われていない状態で普図保留数が１になるか、はずれになる普図の変動表示ゲームが終了した際、または、当たりになる普図の変動表示ゲームが終了して普通変動入賞装置５が開放し、その開放が終了した際に普図保留数が１以上の場合である。
【００６６】
また、特別変動入賞装置６の下方の遊技領域２ａの最下端部には、いずれの入賞口にも入賞しなかった遊技球を遊技領域２ａの外部になる遊技盤２裏面に排出させるアウト口１２が設けられている。また、遊技盤２の前面には、遊技球の流下方向を規制するとともに流下方向を転換する遊技釘１３（一部だけ図示）や風車（図示略）等の流下規制転換部材が設けられている。
【００６７】
次に、パチンコ遊技機１の制御系を図３に示されるブロック図を参照して説明する。パチンコ遊技機１の制御系は、大きく分けて主制御部１５と、副制御部１６と、これら主制御部１５および副制御部１６の各装置に電力を供給する電源供給装置１８とから構成されている。電源供給装置１８は、遊技店に設けられた遊技機外のＡＣ２４Ｖ電源（電力供給手段）２１に接続され、交流を直流に変換して電力を供給する。
【００６８】
主制御部１５には、例えば、遊技機１用のワンチップマイコン等で構成される主制御装置１４（主制御基板の主制御手段）が備えられ、主制御装置１４には、プログラムを実行するＣＰＵ１４ａ、プログラムやプログラムで使用するデータを記憶したＲＯＭ１４ｂや、ＲＯＭ１４ｂから読み出したプログラムを実行可能に記億するとともに、プログラムの実行に基づいて発生したデータやＲＯＭ１４ｂから読み出した各種データ等を記憶するＲＡＭ１４ｃや、同期用のクロック（周波数）信号を出力するクロック１４ｄや、変動表示ゲームの大当たり判定に用いる乱数（擬似乱数）を発生するハード乱数発生回路１４ｅ等が備えられている。
【００６９】
主制御装置１４（ＣＰＵ１４ａ）には、パチンコ遊技機１に設けられた各種センサからの信号が入力可能になっており、前述の第１および第２始動球検知センサ５３ａ，５３ｂ、大入賞球検知センサ６３、通過球検知センサ７ａ、一般入賞球検知センサ１１が接続されるとともに、パチンコ遊技機１におけるエラー(例えば、磁気検知、電波検知等)を検知するエラー検知センサ１９等が接続されている。
【００７０】
また、主制御装置１４は、パチンコ遊技機１の各種装置を動作させるため各種信号を出力するようになっている。例えば、主制御装置１４には、外部情報端子基板４０が接続されており、この外部情報端子基板４０を介して各種データを遊技機外のホールコンピュータ２０に出力可能になっている。ホールコンピュータ２０は、各遊技機１からのデータを集中管理し、各遊技機１の稼動状況を出力可能になっている。
【００７１】
また、主制御装置１４には、副制御部１６のサブ制御装置３０、主制御部１５の払出制御装置２２等が接続され、これらに対してコマンド（制御指令）を出力可能とされている。
演出表示制御手段としてのサブ制御装置３０は、可変表示装置３における画像表示を制御する図柄制御部、演出用の後述のランプ（ＬＥＤ）の点灯及び消灯を制御するランプ制御装部、各種音声、効果音、音楽等の出力を制御する音声制御部としての機能を有する。
また、払出制御装置２２は、賞球としての遊技球の払い出しの制御を行う払出制御部としての機能と、遊技領域２ａへの遊技球の発射を制御する発射制御部としての機能を有する。
【００７２】
また、主制御装置１４には、第１および第２特図表示装置４ａ，４ｂと普図表示装置８と状態表示装置９が接続され、主制御装置１４が第１および第２特図表示装置４ａ，４ｂにおける第１変動表示ゲーム、第２変動表示ゲームの表示制御と、普図表示装置８における普図の変動表示ゲームの表示制御と、状態表示装置９における上述の各種の状態を示すＬＥＤの表示制御とを行う。
【００７３】
また、主制御装置１４には、普通変動入賞装置５の可動片５１，５１を駆動する普通可変入賞駆動装置５５が接続されている。また、主制御装置１４には、特別変動入賞装置６の可動扉６２を駆動する特別可変入賞駆動装置６４が接続されている。この主制御装置１４が、普通変動入賞装置５、特別変動入賞装置６の開閉動作を制御する。
【００７４】
主制御装置１４は、パチンコ遊技機１における遊技の進行を制御するもので、第１および第２始動球検知センサ５３ａ，５３ｂ、大入賞球検知センサ６３、一般入賞球検知センサ１１から遊技球の検知信号が入力された場合、すなわち、各入賞口に遊技球が入賞した場合に、払出制御装置２２にコマンドを出力して、賞球として遊技球の排出を行なう。
【００７５】
また、主制御装置１４は、通過球検知センサ７ａから遊技球の検知信号が入力した場合に、普図保留数が上限未満ならば、上述の普図保留数に１加算する処理を行うとともに、普図ゲームの当たり外れを決定する抽選処理で用いられる各種乱数を取得し、乱数を記憶する。なお、この乱数は、主制御装置１４で生成されるソフト乱数である。また、主制御装置１４は、上述の所定の開始条件にしたがって普図ゲームを開始し、普図保留数を１減算する。この際に乱数による抽選処理によって、普図ゲームの当たり外れを決定し、この決定に基づいて当たりまたははずれになる普図ゲームを普図表示装置８に表示する。
【００７６】
また、主制御装置１４は、第１および第２始動球検知センサ５３ａ，５３ｂからの始動入賞信号の入力に基づいて、第１変動表示ゲームの第１保留数および第２の変動表示ゲームの第２保留数が上限未満の場合に、上述の第１および第２保留数の加算処理を行い、変動表示ゲームが開始される際に減算処理を行う。また、変動表示ゲームの大当たり外れを決定する抽選処理で用いられる抽選決定情報としての各種乱数（当たり判定乱数、図柄乱数（当たり種類乱数）、演出乱数）を取得し、当該乱数をＲＡＭ１４ｃに記憶する。
【００７７】
なお、当たり判定乱数は、上述のハード乱数を用い、その他は上述のソフト乱数を用いる。また、前記抽選処理によって、当たり判定乱数に基づいて第１および第２変動表示ゲームの大当たりおよびはずれを決定し、第１および第２特図表示装置４ａ，４ｂを制御して第１および第２変動表示ゲームを表示するとともに、可変表示装置３における装飾図柄の変動表示ゲームの表示や結果の報知や演出のためにサブ制御装置３０にコマンドを出力する。
【００７８】
主制御装置１４で設定されている第１変動表示ゲームの所定の開始条件は、前の第１変動表示ゲームまたは第２変動表示ゲームがはずれで終了した際と、第１変動表示ゲームまたは第２変動表示ゲームが大当たりになったことにより、特別変動入賞装置６を開放する大当たり状態になり、この大当たり状態が終了した際とのいずれかにおいて、第２保留数が０で、第１保留数が１以上になっている場合と、第１変動表示ゲーム、第２変動表示ゲーム、大当たり状態のいずれでもない場合に、第１始動入賞信号が入力して第１保留数が１になった場合（第２保留数は０）である。
【００７９】
主制御装置１４で設定されている第２変動表示ゲームの開始条件は、前の第１変動表示ゲームまたは第２変動表示ゲームがはずれで終了した際と、第１変動表示ゲームまたは第２変動表示ゲームが大当たりになったことにより、特別変動入賞装置６を開放する大当たり状態になり、この大当たり状態が終了した際とのいずれかにおいて、第２保留数が１以上になっている場合と、第１変動表示ゲーム、第２変動表示ゲーム、大当たり状態のいずれでもない場合に、第２始動入賞信号が入力して第２保留数が１になった場合である。
【００８０】
また、主制御装置１４は、第１変動表示ゲームまたは第２変動表示ゲーム開始から上述の演出乱数を用いた抽選により決定される変動パターン（演出表示パターン）に設定された変動表示時間に、特図（停止図柄）を停止表示する所定の停止表示時間を加えたゲーム時間が終了した際に第１変動表示ゲームまたは第２変動表示ゲームを終了させる。
【００８１】
また、主制御装置１４は、普図ゲームが当たりになった場合に、普通変動入賞装置５の可動片５１，５１を駆動する普通可変入賞駆動装置５５を制御して普通変動入賞装置５を閉状態から開状態とする制御を行う。また、主制御装置１４は、第１変動表示ゲームまたは第２変動表示ゲームが大当たりになった場合、すなわち、第１変動表示ゲームまたは第２変動表示ゲームが大当たりを報知して終了した場合に、特別変動入賞装置６の可動扉６２の特別可変入賞駆動装置６４を制御して所定の条件に基づいて特別変動入賞装置６を閉状態から開状態に可変させて大当たり状態を発生させる制御を行う。
【００８２】
また、主制御装置１４は、前述の始動入賞信号に基づいて第１変動表示ゲームおよび第２変動表示ゲームが大当たりになるかはずれになるかを決める抽選処理を行う。
【００８３】
また、状態制御手段としての主制御装置１４は、大当たりとはずれとのいずれかを示す第１変動表示ゲームまたは第２変動表示ゲームを順次表示する際に、確変状態等の発生に基づいて前記抽選処理により第１変動表示ゲームおよび第２変動表示ゲームが大当たりになる確率を低確率状態より高い高確率状態へ移行し、通常の状態の発生に基づいて前記抽選処理により第１変動表示ゲームおよび第２変動表示ゲームが大当たりになる確率を高確率状態より低い低確率状態に移行する移行制御を行う。
【００８４】
また、主制御装置１４は、高確率状態としての確変状態（有利状態）となった際に、普図の変動表示ゲームの当たり確率を通常より高確率にし、普図の変動表示ゲームの変動表示時間を通常より短くした電チューサポート状態（電サポ状態）にする。また、電サポ状態では、普図の変動表示ゲームが当たりとなった場合の普通変動入賞装置５の開放時間を通常より長く（開放回数を通常より多くすることを含む場合がある）している。大当たり状態の開始が確変状態等を含む電サポ状態の終了条件になっている。また、主制御装置１４は、大当たり状態後に確変状態とならない場合に、後述の時間短縮遊技状態（時短状態）を発生させてもよい。
【００８５】
また、確変状態では、第１および第２変動表示ゲームの大当たり確率が高くなる高確率状態にするとともに、第１および第２変動表示ゲームの変動表示時間（装飾図柄や特図を変動表示させている時間）を通常より短くし、さらに上述の電サポ状態にする。
また、時短状態では、基本的に大当たり確率以外を確変状態と同様にするものとなっており、確変状態と同様の電サポ状態にする。時短状態の大当たり確率は、通常の状態と同様の低確率状態になる。
【００８６】
確変状態での高確率状態では、一般的に大当たり確率を通常の低確率状態（時短状態を含む）の大当たり確率に対して１０倍弱程度高くする
【００８７】
また、副制御部１６のサブ制御装置３０（副制御基板の副制御手段）は、制御装置としてＣＰＵ３０ａ、ＲＯＭ３０ｂ、ＲＡＭ３０ｃ等を備える。このサブ制御装置３０は、図柄制御部として可変表示装置３を制御するものであり、可変表示装置３がグラフィックプロセッサ３８を介して接続されている。
主制御装置１４により決定された各大当たりおよびはずれと、変動パターンとしての変動表示時間等に基づいて、サブ制御装置３０により装飾図柄の変動表示ゲームの可変表示装置３における表示が制御される。
【００８８】
また、サブ制御装置３０は、ランプ制御部として遊技盤２の盤面に設けられた盤面ランプ３２と、パチンコ遊技機１のガラス扉に設けられたガラス扉ランプ３３とが接続され、これら盤面ランプ３２、ガラス扉ランプ３３としてのＬＥＤの点灯や消灯による演出を制御する。
【００８９】
また、サブ制御装置３０は、音声制御装部としてサウンドプロセッサ３４およびアンプを介してスピーカ３５が接続され、演出用の効果音、音声、音楽等の出力を制御する。
【００９０】
また、サブ制御装置３０には、パチンコ遊技機１の上皿１ａの近傍等に設けられるとともに、操作手段としての演出ボタン３６が接続され、演出ボタン３６が有効な状態で演出ボタン３６が操作された場合に、演出ボタン３６からのオン信号がサブ制御装置３０へ送られ、サブ制御装置３０は演出ボタン３６が操作された場合のために用意されている演出用の画像表示や音声出力を制御する。また、演出ボタン３６は、ジョグダイヤルとしての機能を有し、左右に回転することにより、例えば、可変表示装置３上に表示されるソフトキーボード上で選択されるキーを左右または上下に移動するようになっている。
【００９１】
また、コード入力手段の一部としてのサブ制御装置３０は、遊技システムの上述の入力コードの入力の制御を行う。この際にコード入力手段の一部である入力デバイスとして、演出ボタン３６が用いられ、上述のジョグダイヤルとして入力する文字のキーを選択して、ボタンスイッチとして選択されたキーを入力する。これにより、上述のパスワードとなる文字列を入力可能としている。ソフトキーボードを表示する可変表示装置３もコード入力手段の一部である。
【００９２】
また、遊技盤２に演出可動役物が設けられる場合に、サブ制御装置３０は、この演出可動役物を作動させる演出可動役物駆動装置３７を制御することにより、演出可動役物による遊技演出を制御する。
【００９３】
払出制御装置２２は、制御装置としてＣＰＵ２２ａ、ＲＯＭ２２ｂ、ＲＡＭ２２ｃ等を備える。この払出制御装置２２は、払出制御部として、払出装置２９が接続され、上述のように遊技球の入賞に基づいて、主制御装置１４から出力されるコマンドに対応して払出装置２９を制御して、賞球を払い出させる。
【００９４】
また、払出制御装置２２には、ガラス扉および遊技盤２を収納する内枠の開放を検知する扉開放スイッチ４１、払い出された遊技球を保持する皿（例えば、上皿や下皿）に溜まった遊技球が満タンになったことを検知する皿満タンスイッチ４２が接続され、これら扉開放スイッチ４１、皿満タンスイッチ４２からの信号に基づき、払出装置２９からの払出や、発射装置からの遊技球の発射が制限される。
【００９５】
また、払出制御装置２２は、払出装置２９から払い出される遊技球の数を計数する払出計数スイッチ４３が接続され、実際に払い出された遊技球の数が計数され、この計数結果に基づいて払い出すべき遊技球が払い出されるように払出装置２９を制御する。
【００９６】
また、払出制御装置２２には、中継基板２３が接続され、この中継基板２３に、遊技機外に設けられて、挿入されたプリペイドカード（記録媒体）のデータを読み込んで遊技球の貸出制御を行うためのＣＲユニット２８が接続されている。
また、この中継基板２３には、遊技機１の例えば、上皿１ａの近傍に設けられる球貸スイッチ２４、返却スイッチ２５、度数表示装置２６、球貸表示装置２７が接続されている。
【００９７】
度数表示装置２６には、ＣＲユニット２８に読み込まれたプリペイドカードに記億されて遊技球に変換可能な度数が表示される。度数に残りがある状態で、球貸スイッチ２４が操作されると払出制御装置２２の制御により、度数の範囲内の設定された度数に対応する数の遊技球が払い出される。球貸表示装置２７では、遊技球が払い出される際にＬＥＤが点灯する。度数表示装置２６に表示される度数に残りがある状態で、返却スイッチ２５が操作されると、ＣＲユニット２８に挿入されたプリペイドカードが返却される。
【００９８】
また、払出制御装置２２は、発射制御部として遊技球発射装置を駆動する発射駆動装置３９と、遊技球発射装置の遊技球の発射位置に遊技球を送る球送り装置を駆動する球送り駆動装置４７が接続されている。これら球送り駆動装置４７および発射駆動装置３９を作動させることによって、上皿１ａから供給される遊技球を遊技領域２ａに向けて発射する制御を行う。
【００９９】
また、発射制御部としての払出制御装置２２には、遊技球の発射を操作するためのハンドル操作に基づいて、発射駆動装置３９に供給される電力を変更するための発射ボリューム４４が接続され、遊技者のハンドル操作により発射ボリューム４４が調整されることにより遊技球発射装置から発射される遊技球の発射勢が調整される。
【０１００】
また、払出制御装置２２には、発射停止スイッチ４５、タッチセンサ４６が接続され、発射停止スイッチ４５が操作された場合と、タッチセンサ４６で操作者の手のタッチが検知されない場合に、球送り駆動装置４７および発射駆動装置３９を停止することにより、遊技球の発射を停止する。
また、払出制御装置２２は、外部情報端子基板４０を介してホールコンピュータ２０にデータを出力可能に接続されている。
【０１０１】
このような遊技機１の制御系において、主制御装置１４では、上述のように第１始動入賞信号が入力された場合、または、第２始動入賞信号が入力された場合に、乱数の取得処理が行われる。主制御装置１４は、ハード乱数発生回路１４ｅから第１または第２変動表示ゲームの大当たりの抽選用のハード乱数を取得するとともに、その他の抽選用のソフト乱数を生成して取得する。なお、始動入賞信号が入力された際に、上述の対応する保留数が上限未満の場合に乱数を取得するが、対応する保留数が上限の場合には、乱数を取得しないか、取得しても記憶しない。
【０１０２】
また、主制御装置１４は、上述のように取得した乱数をＲＡＭ１４ｃに記憶し、この乱数に対応する変動表示ゲームの開始条件が成立し、記憶された乱数による抽選処理が行われた場合に乱数消去条件が成立したものとして乱数を消去し、第１または第２変動表示ゲームに用いた第１または第２保留数が１つ減算される。
【０１０３】
主制御装置１４は、変動表示ゲーム開始の際に、上述のように取得された乱数（当たり判定乱数、図柄乱数、演出乱数）を用いて第１および第２変動表示ゲームを表示するための抽選処理を行う。抽選処理においては、まず、抽選手段としての主制御装置１４の当否抽選処理として、当たり判定乱数と、設定されている当たり判定テーブル（低確率判定テーブルまたは高確率判定テーブル）に記憶された当たり判定値（抽選要素）とを比較する。主制御装置１４のＲＯＭ１４ｂには、当たり判定テーブルが記憶されている。
【０１０４】
当たり判定値は、当たり判定乱数になる所定範囲の数値（整数）のうちから予め決められた数値であり、大当たり確率は、（当たり判定値の数）／（当たり判定乱数になる所定範囲の数値の個数）になる。また、当たり判定値には、当たり確率が低確率になる通常時の低確率判定テーブルに記憶された当たり判定値と、確変決定後の高確率時の高確率判定テーブルに記憶された当たり判定値とがある。
【０１０５】
取得された当たり判定乱数の数値と、当たり判定値とが一致した場合に、大当たりになり、一致しない場合にはずれになる。
また、低確率判定テーブルを用いるか、高確率判定テーブルを用いるかは、上述のように制御される確率状態が高確率状態か低確率状態かにより、主制御装置１４で決定される。
大当たりと判定された場合には、主制御装置１４により、大当たりになる変動表示ゲーム終了後に大当たり状態が発生する。
【０１０６】
当否判定処理の次に、当たり種類決定手段としての主制御装置１４において、停止図柄抽選処理が行われる。図柄乱数は、第１および第２特図表示装置４ａ，４ｂに停止表示される停止図柄（特図）の種類を決定するものであるが、変動表示ゲームがはずれの場合には、はずれに対応した例えば一種類の特図が決定される。大当たりの場合には、各大当たりの種類にそれぞれ対応して複数種類ずつの特図が設定され、これら特図から１つの特図が抽選で選択される。
【０１０７】
大当たりの種類は、例えば、上述の確変大当たりと通常大当たりがあるとともに、大当たり状態のラウンド数がある。ラウンド数は、例えば、８ラウンドと１６ラウンド等であるが、２ラウンド以上で１６ラウンド以下のラウンドが設定されている。
【０１０８】
図柄抽選処理の次に、パターン決定手段としての主制御装置１４では、変動パターン（演出表示パターン）抽選処理が行われる。
上述の演出乱数は、変動表示ゲームの変動表示時間を含む変動パターンを決定するものであり、はずれの場合にリーチになるか否か、また、リーチの場合に変動表示時間が短いノーマルリーチか、変動表示時間の長いスーパーリーチやプレミアムリーチになるか（リーチ演出の種類）を決定するものである。この場合に、各リーチの種類毎に異なる変動パターンになる。
【０１０９】
また、大当たりの場合は、必ずリーチになるので、ノーマルリーチかスーパーリーチやプレミアムリーチなどのリーチの演出の種類を決定するものになる。なお、主制御装置１４は、変動パターンの選択に際して、複数の変動パターンと、複数の変動パターンそれぞれに抽選確率の数に対応して関連付けられている判定値との組み合わせからなる変動パターンテーブルにしたがって抽選を行い、変動パターンを選択する。
【０１１０】
パターン記憶手段としての主制御装置１４（ＲＯＭ１４ｂ）に記憶されている変動パターンテーブルは、例えば、大当たり用と、はずれ用とがある。各変動パターンテーブルでは、各変動パターン毎に判定値が割り当てられており、各変動パターンに割り当てられた判定値の個数で、抽選確率が決定される。各判定値は、演出乱数になる数値の範囲に含まれる整数であり、抽選確率は、演出乱数になる数値の範囲に含まれる全ての整数の個数を分母とし、各変動パターンに割り当てられた判定値の個数を分子とした数値である。
【０１１１】
変動パターンテーブルは、さらに、通常の状態用と、確変状態などの電サポ状態用とに分けられる。基本的には、はずれの通常の状態用の変動パターンテーブルに比較して、はずれの電サポ状態用の変動パターンテーブルには変動表示時間が短い変動パターンが記憶されている。
【０１１２】
この実施の形態において、確変状態用の変動パターンテーブルでは、特定演出表示情報（秘密特定演出表示情報を含む）となる変動パターンが選択されるようになっている。この特定演出表示情報では、複数の特定キャラクタのそれぞれに対応する特定演出表示情報が設定されている。したがって、一種の特定演出表示情報の変動パターンでは、複数の特定キャラクタのうちの１つの特定キャラクタが主に登場する演出が行われる。なお、確変中の全ての変動表示ゲーム（変動パターン）で１つの特定キャラクタが登場する必要はなく、例えば、主にリーチの変動パターンで１つの特定キャラクタが登場する演出表示が行われる。
【０１１３】
また、各確変状態における変動表示ゲームでは、１つの特定キャラクタを制覇するストーリとなっており、例えば、大当たりとなるリーチの変動表示ゲームでは、ほぼ制覇したストーリ展開となり、大当たりとなって大当たり状態が開始され、かつ、確変大当たりが報知される際に、１つの特定キャラクタを制覇したことを祝福するような演出が行われるようになっている。
通常大当たりとなった場合には、特定キャラクタを制覇できそうで結局制覇できない演出となり、大当たり状態後が例えば低確率状態で非電サポ状態である通常の状態となり、特定演出表示情報としての変動パターンを含まない、通常の状態における変動パターンテーブルが用いられる。なお、通常大当たり後に時短状態が発生するものとしてもよい。
【０１１４】
上述の遊技システムにおける遊技機１として、サブ制御装置３０は、会員による遊技開始の入力と遊技終了の入力とを受け付けるようになっている。例えば，遊技開始または遊技終了の入力は、第１始動球検知センサ５３ａまたは第１始動球検知センサ５３ｂからの始動入賞信号が所定時間入力しない場合に可変表示装置３に表示されるデモンストレーション表示の表示中に行えるようになっている。デモンストレーション表示中の表示として、例えば、遊技システムにアクセスする場合に、演出ボタン３６を押下するように表示され、演出ボタン３６を押下すると、遊技開始か遊技終了を選択する画面となり、遊技開始を選択すると、例えば、遊技開始入力画面が表示される。この遊技開始入力画面には、入力コードｗの入力画面としてソフトウェアキーボードが表示され、上述の演出ボタン３６の回転により文字を選び、演出ボタン３６の押下により入力する文字を決定することを繰り返すことにより、パスワードとなる文字列が入力コードｗとして入力されるようになっている。すなわち、可変表示装置３と演出ボタン３６とが入力コードを遊技機１に入力するためのコード入力手段になる。
【０１１５】
この実施の形態では、後述のように複数の特定キャラクタ（キャスト）の登場順の変更や、グループ分けされた特定キャラクタをグループ（ステージ）毎制覇した状態、すなわち、登場しない状態にして順番を先に進めるように変更するためのカスタマイズ情報がある。
この入力コードｗが入力された場合に、遊技機１のサブ制御装置３０で入力コードｗが解析される。入力コードｗは、認証機能と、情報を含むコードとしての機能があり、周知のアルゴリズムに基づく文字列であることにより認証されるとともに、文字列を周知のアルゴリズムで解析することにより、コードを読取ることができる。このコードは、カスタマイズ情報（演出表示変更情報）を含む。
【０１１６】
カスタマイズ情報は、例えば、変動表示ゲームのリーチ演出等の演出において、スピーカ３５から出力される音（例えば、バックグランドミュージックや、キャラクタのセリフや、効果音）を変更するための情報や、可変表示装置３に表示されるキャラクタの服装や、キャラクタの動きや、キャラクタ自体等の表示を変更するための情報を含んでいる。
サブ制御装置３０は、入力コードｗが入力されると、入力コードｗを解析して認証できるか否かを判定し、パスワードが認証された場合に、カスタマイズ情報を取得する。遊技演出変更手段としてのサブ制御装置３０は、カスタマイズ情報に基づいて演出で用いられる演出表示および演出音声の少なくとも一部を変更することになる。
【０１１７】
すなわち、遊技機１のサブ制御装置３０は、そのＲＯＭ３０ｂ等にカスタマイズ用の画像情報（静止画および動画）または画像を生成するためのデータや、音声情報を記憶しており、カスタマイズ情報は、通常の演出表示の画像情報や演出音の音声情報等と、カスタマイズ用の演出表示の画像情報や演出音の音声情報とを切り替えて出力するための情報を有するものである。基本的には、演出表示において、カスタマイズ可能な箇所毎に、選択可能な複数の画像情報や複数の音声情報が決まっており、これら複数の画像情報や複数の音声情報からカスタマイズ用に選択される画像情報や音声情報を示す情報がカスタマイズ情報に含まれている。この例においては、表示する特定演出表示情報（秘密特定演出表示情報）の表示順序に係る設定を後述のように変更可能になっている。
【０１１８】
また、遊技履歴情報記憶手段としてのサブ制御装置３０は、主制御装置１４から入力される各コマンドに基づいて、遊技履歴情報を生成して記憶する。遊技履歴情報には、変動表示ゲームの実行回数（表示回数）、大当たり回数、大当たりの種類、大当たりとなる際に表示させたスーパーリーチ（プレミアムリーチ）演出の種類、演出表示として行われたミッション達成型ゲームの達成された各ミッションの種類等が記憶される。
【０１１９】
また、デモンストレーション表示中に、演出ボタン３６を押した後に遊技終了を選択すると、サブ制御装置３０において、遊技終了入力表示となる。この遊技終了入力表示では、遊技を終了するか否かを選択する表示がなされ、遊技を終了することを選択すると、コード出力手段としてのサブ制御装置３０に記憶されている遊技履歴情報が、所定の出力コードｘのアルゴリズムにより二次元バーコート等の出力コードに変換され、変換された出力コードｘが可変表示装置３に表示される。
【０１２０】
このような遊技システムにおける上述の入力コードｗおよび出力コードｘの読み取りについて説明する。
端末１００がスマートフォンの場合に、遊技システム用の専用アプリをアプリ用ダウンロードサイト（各種アプリのストア）からダウンロードする。
【０１２１】
このアプリを初めて起動すると、サーバ２００のウェブサイトのアクセスし、ウェブページとしての新規ＩＤ発行画面が表示され、新規ＩＤ発行ボタンを押下することにより、ＩＤと（仮）パスワードがディスプレイ１０５に表示される。なお、このＩＤとパスワードは、サーバ２００で発行されたものである。
【０１２２】
したがって、この時点で、サーバ２００では、会員データベースに会員（端末１００）のアカウントとして、ＩＤとパスワードが登録される。なお、このパスワードは仮パスワードであり、専用アプリを用いて変更可能である。また、パスワードの変更に際しては、パスワードを忘れた場合に用いる秘密の質問と質問の答えを登録できるようになっている。また、プロフィールとして、性別、ニックネーム、生年月日等を会員データベースに会員のプロフィールとして登録可能となっている。
【０１２３】
サーバ２００では、アカウントとしてのＩＤとパスワードにより会員を管理することになる。
【０１２４】
ここでのパスワードは、遊技機１に入力する入力コードｗとしてのパスワードではなく、サーバ２００の認証用のアカウントとしてのパスワードであり、専用アプリを起動してサーバ２００にアクセスする際に必要になる。このアカウントとしてのＩＤとパスワードは、専用アプリにより端末１００の記憶装置１０４記憶され、専用アプリを起動すると、専用アプリがサーバ２００にアクセスして認証を受ける処理を自動で行う。なお、端末１００からサーバ２００に対してログアウト処理を行った場合には、再び、ログイン状態とするためにサーバ２００に対して端末１００のアカウントの認証が必要となる。なお、ログアウトしなければ、上述のようにＩＤとパスワードが記憶された状態が端末１００の電源を切っても維持され、自動でサーバ２００に認証可能な状態が維持される。
【０１２５】
また、専用アプリには、会員証を画像情報として発行する機能があり、生成された会員証のデータは、画像として表示可能に記憶装置１０４に記憶される。また、この会員証には、ＩＤと上述の秘密の質問が記載されている。なお、質問に代えてパスワードを記載するものとしてもよい。
【０１２６】
サーバ２００のウェブサイトに上述のアカウントを用いてアクセスした状態の端末１００において、メニュー表示が行われる。このメニュー表示では、遊技システムの遊技機１として登録されているパチンコ遊技機１の各機種のウェブページの項目が表示されており、各機種のウェブページのいずれかを端末１００に表示することができる。
【０１２７】
各機種のウェブページでは、当該機種のパチンコ遊技機１における上述の演出表示および演出音のカスタマイズのためのカスタマイズページや、入力コードｗとしてのパスワード発行ページや、遊技履歴が表示される遊技履歴ページ等を表示可能である。
【０１２８】
なお、カスタマイズページにおける各カスタマイズ項目は、例えば、該当機種の遊技機１で遊技を行うことにより得られるポイントの値や、レベル（例えば、段階別の称号）等により、カスタマイズ可能な項目とカスタマイズ不可の項目がある。なお、ポイントの増加や、レベルの上昇により、カスタマイズ不可の項目が順次カスタマイズ可能になる。
【０１２９】
次に、遊技機１における確変状態の演出表示演出について、遊技システムによる演出表示のカスタマイズを行わない場合について説明する。確変状態では、大当たり状態の終了時に次のキャラクタが決定され、その後の確変状態中は、決定された１つのキャラクタをメインとした演出表示が行われる。たとえば、リーチ演出等において、決定された１つのキャラクタをメインにした演出表示が行われる。
【０１３０】
確変状態中の大当たりとなる変動表示ゲームのリーチ演出では、例えば、１つの決定されたキャラクタを制覇できるか否かの演出が行われ、制覇する演出となった場合に、例えば、大当たりとなる。この際の大当たりは、基本的には、確変状態における電サポ状態で遊技球の入賞率が高く、第１変動表示ゲームに対して優先して実行される第２変動表示ゲームの開始の契機を付与する第２始動入賞口５４への遊技球の入賞に基づいて行われる上述の抽選により発生するものである。この第２始動入賞口５４への遊技球の入賞に基づいて行われる大当たりは、基本的に８ラウンドまたは１６ラウンドとなっている。
【０１３１】
これらの大当たりにおいては、例えば、上述のキャラクタをメインとした演出が行われる。この際に、大当たりとなる変動表示ゲームの演出表示にしたがってキャラクタを最終的に制覇したことを示す演出の場合に、大当たりが確変大当たりであることを報知する演出となる。それに対して、大当たりとなる変動表示ゲームの演出表示に反してキャラクタを最終的に制覇できなかった演出の場合に、通常の大当たりを報知する演出となり、大当たり状態後に低確率状態で非電サポ状態の通常の状態となる。
【０１３２】
確変状態となる場合には、後述のように遊技者がキャラクタの選択を行わないと、デフォルト順で次のキャラクタが決定され、大当たり状態後の確変状態における変動表示ゲームでは主に次のキャラクタを用いた演出表示が行われる。確変大当たりが連続して発生して、確変状態が連続する場合に、デフォルトの順番にしたがって、キャラクタが順次変更されるようになっている。
【０１３３】
なお、通常大当たりの大当たり状態後に、低確率状態で電サポ状態の時短状態となったり、潜確大当たりの大当たり状態後に、高確率状態で非電サポ状態である潜伏確変状態となったりしてもよい。
【０１３４】
これら時短状態や潜伏確変状態で確変大当たりが発生した場合に、確変状態が連続した場合と同様の演出を行うものとしてもよい。すなわち、確変状態毎に順次変更されるキャラクタを最初のキャラクタではなく、確変状態が終了した際のキャラクタまたはその次のキャラクタとしてもよい。
【０１３５】
この遊技機１においては、遊技システムを用いてカスタマイズを行わなくても、演出ボタン３６（操作手段）を用いて、キャラクタの登場順を設定できるようになっている。但し、登場順を設定できるのは、上述の１６ラウンド大当たりの場合であり、１６ラウンド大当たりの場合には、大当たり状態の後半のラウンドや、最後の数ラウンドや、最後のラウンドで、演出ボタンの操作により次のキャラクタを選択できるようになっている。
また、８ラウンド大当たりの場合には、次のキャラクタを遊技者が選択できず、デフォルト順で設定されたキャラクタが登場するようになっている。
この際に、遊技者の変更により、デフォルト順では未だ登場しないキャラクタが先に登場している可能性が有る。したがって、次のキャラクタを遊技者の選択ではなく、自動的に設定する場合には、デフォルト順のキャラクタから既に登場したキャラクタを除き、残ったキャラクタのうちのデフォルトの順番が最も早いキャラクタが選択されるようになっている。
また、通常の状態から最初に確変大当たり（初当たり）を発生させた場合の大当たり状態中のキャラクタをデモンストレーション中に選択可能になっている。
【０１３６】
次に、キャラクタのデフォルト順と、遊技機１の演出ボタン３６の操作によるキャラクタの登場順の変更について説明する。
この実施の形態において、キャラクタは、例えば、表１に示すように、キャバクラのキャストａ〜ｖである。
【０１３７】
【表１】
2014230574.tif 000003
【０１３８】
また、登場するキャバクラは３店舗Ａ，Ｂ，Ｃある。
各店舗Ａ〜Ｃにおいては、それぞれ６名のキャストａ〜ｒがいるとともに、その６名のうちの１名がトップキャストｆ、ｌ、ｒとなっている。このキャバクラは確変状態で表示される特定演出表示情報におけるキャラクタとしてのキャストが所属するグループまたはキャストが登場するステージである。なお、３店舗Ａ，Ｂ，Ｃともキャバクラとするのではなく、例えば、３店舗Ａ，Ｂ，Ｃをそれぞれキャバクラ、メイド喫茶、クラブとしてもよい。
【０１３９】
遊技者が変更を加えないデフォルトの順では、１店ずつ６名のキャストを順番に演出表示に登場させることになる。また、店舗Ａ，Ｂ，Ｃの順番は、店舗Ａ、店舗Ｂ、店舗Ｃの順となる。なお、これら各キャストａ〜ｒのうちのトップキャストｆ，ｌ，ｒを除く各キャストａ〜ｅ，ｇ〜ｋ，ｍ〜ｑを主とする演出表示の情報（データ）は、特定演出表示情報であり、選択許可条件として、デモンストレーション表示中と、確変大当たりに基づく１６ラウンド大当たり状態の所定のラウンド数のラウンドであることを条件に選択可能になる。
【０１４０】
なお、デモンストレーション画面では、後述のように全ての店舗Ａ，Ｂ，Ｃからキャストを選択可能になるが、１６ラウンド大当たり状態の所定のラウンドの場合には、選択可能なキャストａ〜ｅ，ｇ〜ｋ，ｍ〜ｑの属する店舗Ａ，Ｂ，Ｃが限定され、選択許可条件に所定の店舗が選択可能となることが含まれる。
【０１４１】
また、各店舗のトップキャストｆ、ｌ、ｒは、選択許可条件が成立しても、選択することができず、各店舗Ａ，Ｂ，Ｃで５つのキャストａ〜ｅ，ｇ〜ｋ，ｍ〜ｑが登場するまで（消化されるまで）、登場（表示）しないようになっている。すなわち、規制解除条件として、店舗に属するトップキャストｆ，ｌ，ｒ以外のキャストａ〜ｅ，ｇ〜ｋ，ｍ〜ｑが全て（５つ）登場することが規制解除条件となり、規制解除条件が成立しないとトップキャストｆ，ｌ，ｒは、登場しない
【０１４２】
なお、各店舗Ａ，Ｂ，Ｃでそれぞれ５つのキャストａ〜ｅ，ｇ〜ｋ，ｍ〜ｑが登場した状態では、各店舗Ａ，Ｂ，Ｃでトップキャストｆ，ｌ，ｒである１つしか選択肢がなく、選択操作を行うことができない。なお、トップキャストｆ，ｌ，ｒを各店舗Ａ，Ｂ，Ｃで２つ以上として、規制解除条件が成立した後に、いずれかのトップキャストｆ，ｌ，ｒを選択可能としてもよい。基本的に、トップキャストｆ，ｌ，ｒの演出表示用のデータは、選択許可条件が成立しても規制解除条件が成立しないと表示できない秘密特定演出表示情報である。
【０１４３】
さらに、３店舗Ａ，Ｂ，Ｃの全てのキャストを登場させた後には、特殊Ｄとして特殊キャストｓが登場する。すなわち、選択許可条件として、１６ラウンド大当たりの所定ラウンドとなった際でも、３店舗Ａ，Ｂ，Ｃの全てのキャストａ〜ｒを登場させるという規制解除条件が成立しないと、特殊Ｄの特殊キャストｓを登場させられない（表示できない）。したがって、特殊キャストｓも秘密特定演出表示情報である。
【０１４４】
この場合も、規制解除条件が成立した場合に、選択枝が特殊キャストｓの１つしかなく、遊技者は規制解除条件が成立した後に、キャストａ〜ｖを選択する操作ができない。なお、特殊Ｄの特殊キャストｓを２つ以上として、遊技者に選択可能としてもよい。
【０１４５】
また、規制解除条件として特殊Ｄの特殊キャストｓを消化すると、特殊Ｅの特殊キャストｔ，ｕ，ｖが選択可能となり特殊キャストｔ，ｕ，ｖの演出表示のための情報も秘密特定演出表示情報である。なお、特殊Ｄおよび特殊Ｅとは、上述の３店舗に限定されないもので、例えば、店舗のトップではなく、地域でトップとなる特殊キャストｓ，ｔ，ｕ，ｖがいる店舗がある地域などを指すものとしてもよい。いずれにしろ、特殊キャストｓ，ｔ，ｕ，ｖとは、店舗に限定されないキャストｓ，ｔ，ｕ，ｖである。なお、特殊Ｅの特殊キャストｔ，ｕ，ｖが選択可能となった場合には、これら特殊キャストｔ，ｕ，ｖを含む全てのキャストａ〜ｖから、好きなキャストａ〜ｎを選択することができるようになる。
【０１４６】
【表２】
2014230574.tif 000004
【０１４７】
表２には、遊技機１や遊技システムのカスタマイズで変更が行われる前のデフォルトのキャストの表示順が示されている。ここで、１連目から２４連目までの連目とは、確変大当たりの発生を示すとともに、確変大当たり後の大当たり状態を示している。したがって、各連目の間が確変状態を示すことになる。また、１つのキャストによる演出表示は、確変状態の開始時から次の大当たり状態まで続くことになる。
【０１４８】
キャラクタの連続する確変状態の発生毎に開始される各キャストａ〜ｖの演出表示の表示順は、デフォルト順の場合に、表２に示すように、初当たりの際に、Ａ店のキャストａを登場させる。この際には、初当たりなので、その前の状態が低確率状態かつ非電サポ状態としての通常の状態（高確率かつ非電サポ状態である潜伏確変状態であってもよい）となっており、確変状態でのキャストａを主とする演出表示が行われておらず、例えば、確変大当たり（初当たり）の後の大当たり状態における演出表示においてだけ、キャストａを主とする演出表示が行われる。
【０１４９】
したがって、キャストａを主人公が口説くような演出が行われておらず、大当たり状態における演出もキャストａを制覇した演出とはならない。
その後確変状態となるが、この際に次のキャストａ〜ｖに移行するのではなく、そのままキャストａを主とする演出表示が行われ、キャストａを口説く演出表示が行われる。２連目の確変大当たりとなると、その大当たり状態ではキャストａを制覇する演出表示（例えば、キャストと主人公がデートする演出）が行われる。この大当たり状態後の確変状態からキャストｂを主とする演出表示が行われる。
【０１５０】
次の３連目の確変大当たり後の大当たり状態までキャストｂを主とする演出表示が行われ、その後の確変状態からキャストｃをメインとする演出表示が開始される。
このように１連目と２連目が同じキャストａとなる以外は、確変大当たりの大当たり状態終了後、すなわち、確変状態開始時に順次キャストが変更される。
【０１５１】
２連目から６連目まで、店舗Ａのキャストａ、キャストｂ、キャストｃ、キャストｄ、キャストｅと順次キャラクタが入れ替わり、７連目がトップキャストｆになる。
次に８連目から１２連目まで、店舗Ｂのキャストｇ、キャストｈ、キャストｉ、キャストｊ、キャストｋの順で演出表示が行われる。
【０１５２】
確変大当たりの１３連目の後の確変状態で店舗Ｂのトップキャストｌの演出表示が行われる。
次に、１４連目から１８連目まで、店舗Ｃのキャストｍ、キャストｎ、キャストｏ、キャストｐ、キャストｑの順で演出表示が行われる。
【０１５３】
確変状態の１９連目に店舗Ｃのトップキャストｒの演出表示が行われる。
次の２０連目で特殊Ｄのキャストｓの演出表示となる。
次の２１連目から２３連目で特殊Ｅのキャストｔ、キャストｕ、キャストｖの演出表示が行われる。
さらに確変大当たりが連続する場合には、２連目に戻り、上述の順でキャラクタを入れ替えることになる。
【０１５４】
次に、遊技システムを使わずに遊技機１単独でのキャラクタ順の変更方法を説明する。
デモンストレーション画面には、キャストａ〜ｖの選択画面が表示されている。選択画面では全てのキャストａ〜ｖの例えば、顔とキャスト名が表示される。しかし、この際に選択可能なキャストａ〜ｅ，ｇ〜ｋ，ｍ〜ｑは、店舗Ａのトップキャストｆを除く５つのキャストａ〜ｅと、店舗Ｂのトップキャストｌを除く５つのキャストｇ〜ｋと、店舗Ｃのトップキャストｒを除く５つのキャストｍ〜ｑであり、トップキャストｆ，ｌ，ｒと、特殊キャストｓ，ｔ，ｕ，ｖとは選択できない。
【０１５５】
したがって、トップキャストｆ，ｌ，ｒと、特殊キャストｓ，ｔ，ｕ，ｖは、選択できないことが示唆されるように表示される。すなわち、シルエットの状態等のように顔が分からない状態に表示されることが好ましい。例えば、実際に特殊キャストｓ，ｔ，ｕ，ｖが登場するまで、特殊キャストｓ，ｔ，ｕ，ｖの顔が分からないようにすることが好ましい。
【０１５６】
ここで、遊技者は、Ａ〜Ｃの店舗のトップキャストｆ，ｌ，ｒを除くいずれのキャストａ〜ｅ，ｇ〜ｋ，ｍ〜ｑでも選択することが可能である。
遊技者が店舗Ａのキャストａ〜ｅを選択した場合には、各店舗Ａ〜Ｃのキャストａ〜ｒの表示順は、表２に示すデフォルトの状態と同様に店舗Ａ、店舗Ｂ、店舗Ｃの順になる。
【０１５７】
また、遊技者が店舗Ｂのキャストｇ〜ｋを選択した場合に、店舗Ａ〜Ｃの表示順は、店舗Ｂ、店舗Ｃ，店舗Ａの順になる。この場合に最初に店舗Ｂの各キャストｇ〜ｌの演出表示を順次行い、次に店舗Ｃの各キャストｍ〜ｒの演出表示を行い、さらに、店舗Ａの各キャストａ〜ｆの演出表示を行う。
【０１５８】
また、遊技者が店舗Ｃを選択した場合に、店舗Ａ〜Ｃの表示順は、店舗Ｃ、店舗Ａ，店舗Ｂの順になる。この場合に最初に店舗Ｃの各キャストｍ〜ｒの演出表示を順次行い、次に店舗Ａの各キャストａ〜ｆの演出表示を行い、さらに、店舗Ｂの各キャストｇ〜ｌの演出表示を行う。
【０１５９】
また、店舗Ａ〜Ｃ内の各キャストａ〜ｒの選択は、例えば、店舗Ｂを選択した場合を例に取ると、遊技者が店舗Ｂのキャストｉを選択すると、１連目および２連目がキャストｉに決定する。３連目から７連目までは、キャストｉを除いたキャストｇ、キャストｈ、キャストｊ、キャストｋ、キャストｌの順になる。以下、１連目としてデモンストレーション画面で店舗Ｂのキャストｉを選択した場合について説明する。この際には、上述のように店舗の順番は、店舗Ｂ、店舗Ｃ、店舗Ａの順となる。
【０１６０】
ここで、２連目から５連目までの確変状態において、１６ラウンドの確変大当たりが発生した場合に、ここでは最初の店舗Ｂ内のトップキャスｌを除くとともに、既に登場したキャストｉを除いたキャストｇ，ｈ，ｊ，ｋが選択可能になり、選択されたキャストｇ，ｈ，ｊ，ｋを大当たり状態後の確変状態中に主に演出表示されるキャラクタとすることができる。
【０１６１】
また、６連目で１６ラウンド確変大当たりが発生した場合に、選択肢は、最初の店舗Ｂのトップキャストｌだけとなり、実質的には、表示されるキャストａ〜ｖを選択できない。
【０１６２】
７連目から１１連目までの確変状態において、１６ラウンド確変大当たりが発生した場合に、ここでは２番目の店舗Ｃ内のトップキャスｒを除くとともに、既に登場したキャストｍ〜ｑを除いたキャストｍ〜ｑが選択可能になる。１２連目で１６ラウンド確変大当たりが発生した場合に、選択肢は、２番目の店舗Ｃのトップキャストｒだけとなり、実質的には、表示されるキャストａ〜ｖを選択できない。
【０１６３】
１３連目から１７連目までの確変状態において、１６ラウンド確変大当たりが発生した場合に、ここでは３番目の店舗Ａ内のトップキャスｆを除くとともに、既に登場したキャストａ〜ｅを除いたキャストａ〜ｅが選択可能になる。１８連目で１６ラウンド確変大当たりが発生した場合に、選択肢は、３番目の店舗Ａのトップキャストｆだけとなり、実質的には、表示されるキャストａ〜ｖを選択できない。
【０１６４】
次に、１９連目の確変状態の際に発生する１６ラウンド確変大当たりでは、特殊Ｄのキャストｓだけが選択可能であり、実質的にキャストｓの選択を行うことができない。
【０１６５】
次に、２０連目から２２連目では、１６ラウンド確変大当たりが発生した場合に、特殊Ｅのキャストｔ，ｕ，ｖを含む全てのキャストａ〜ｖからキャストを選択可能となる。この際には、店舗Ａ〜Ｃのいずれのキャストａ〜ｖでも選択可能になり、トップキャストｆ，ｌ，ｒでも特殊Ｄの特殊キャストｓでも特殊Ｅの特殊キャストｔ，ｕ，ｖでも選択可能になる。
【０１６６】
２３連目では、その後に２連目に戻ることになるので、２連目のキャストとして、トップキャストｆ，ｌ，ｒを除く店舗Ａ〜店舗Ｃのキャストａ〜ｅ，ｇ〜ｋ，ｍ〜ｑが選択可能となる。その後は、２連目からの繰り返しとなる。
【０１６７】
また、主制御装置１４側では、確変状態用の変動パターンテーブルを記憶し、この変動パターンテーブルから抽選で決定される変動パターンを各キャストａ〜ｖに振り分可能とし、サブ制御装置３０において、確変状態における各変動パターンに対応して、各キャストａ〜ｖ用の変動パターンと、当該変動パターンに基づく演出表示用の情報を記憶しておき、抽選された変動パターンと上述のように設定されるキャストａ〜ｖとに基づいて演出表示用の情報（特定演出表示情報）を選択するものとしてもよい。
【０１６８】
すなわち、主制御装置１４で確変状態用の変動パターンテーブルを用いて抽選で確変状態における各変動表示ゲームの変動パターンを決定し、サブ制御装置３０は、この変動パターンを受信するとともに、上述のようにしてキャストａ〜ｖを決定し、この変動パターンとキャストａ〜ｖに基づいて、変動表示ゲームおよび大当たり状態で表示する演出表示の情報が決定されるものとしてもよい。
【０１６９】
次に、遊技システムにおける演出表示のカスタマイズ処理について説明する。
上述のように遊技開始時にサーバ２００から受信した入力コードｗをコード入力手段としての演出ボタンを用いて、デモンストレーション画面で入力することになる。なお、通常の状態におけるデモンストレーション画面では、上述のように初当たり時に登場するキャストａ〜ｅ，ｇ〜ｋ，ｍ〜ｑを選択するための画面表示が行われるので、例えば、演出ボタン３６の操作により、遊技システムを用いた遊技の開始と終了を入力するための画面に切り替えるものとする。そ遊技開始時には、サーバ２００で行われた演出表示のカスタマイズの情報を含む入力コードｗを入力する。
【０１７０】
また、遊技終了時には、遊技機１の可変表示装置３等の画面に、出力コードｘを表示させ、端末１００のカメラ１０３で撮影して読み取ることになる。この出力コードｘには、例えば、遊技履歴情報として変動表示ゲームの実行回数、大当たりの発生回数、変動表示ゲーム中等に行われるミッション達成型ゲームにおけるミッション達成回数等のデータが含まれる。
【０１７１】
この遊技履歴情報を読み込んだサーバは、変動表示ゲームの一回の実行、大当たりの１回の発生、ミッション達成型ゲームにおける１回のミッションの達成等にそれぞれポイントを付与するようになっている。これらのポイントの値は、積算されるようになっている。
【０１７２】
したがって、遊技機１において遊技の開始と終了の処理を行うとともに、端末１００からサーバ２００にアクセスすることにより、遊技システムの会員には、それぞれポイントが溜まるようになっている。
【０１７３】
また、サーバ２００におけるウェブサイトの各遊技機１の機種毎の演出表示のカスタマイズ用のウェブページでは、演出表示のカスタマイズの操作が可能になっている。この遊技機１の機種におけるカスタマイズでは、上述の１連目から１９連目までのキャストａ〜ｆ，ｇ〜ｌ，ｍ〜ｒを上述の３つの店舗Ａ，Ｂ，Ｃから選択して表示順を設定可能となっている。
【０１７４】
なお、各店舗Ａ〜Ｃからランダムにキャストａ〜ｆ，ｇ〜ｌ，ｍ〜ｒを選択することができない。例えば、初当たりのキャストとして店舗Ｂのキャストｉを選んだ場合には、そのあと、店舗Ｂの全てのキャストを全て選択するまで、店舗Ｃおよび店舗Ａのキャストは選べない。すなわち、上述の遊技機１におけるキャスト順の変更と同様に、各店舗毎にキャストを制覇していくようにキャストを選択する必要がある。
【０１７５】
また、遊技システムにおいては、トップキャストｆ，ｌ，ｒを各店舗Ａ〜Ｃの最後ではなく、店舗内の順番なら最初から最後までいずれの順番でも選択可能な設定としてもよい。
このカスタマイズにより、基本的に１連目から１９連目まで上述の遊技機１でのキャストの順番変更と略同様にキャストの登場順を店舗毎に設定でき、かつ、店舗の順を設定できる。また、２０連目は、特殊Ｄのキャストｓとなる。
【０１７６】
２１連目から２３連目は、特殊Ｅのキャストｔ，ｕ，ｖを含む全てのキャストａ〜ｖを選択して設定することができる。
さらに、遊技システムでは、１連目から２３連目まであるキャストの表示、すなわち、特定演出表示情報の表示のうちの一部を表示しないように設定することができる。
【０１７７】
たとえば、２店舗に対応する８連目から１３連目となる特定演出表示情報を表示しないものとしてもよい。
例えば、表２に示すデフォルト順において、８連目から１３連目を除外することにより、１４連目から２３連目が繰り上げられて、８連目から１７連目となる。この場合に、１店舗分のキャストが表示されなくなる代わりに、確変状態を２０回連続させないと登場しない特殊Ｄのキャラクタｓが例えば１４連目に登場することになり、確変状態を１４回連続させれば、キャラクタｓを見ることが可能になる。
【０１７８】
同様に、特殊Ｅのキャラクタｔ，ｕ，ｖを登場させるのには、２１回確変状態を連続させる必要があったものが、１３回連続させることによりみることが可能になる。
すなわち、特殊Ｄ，Ｅのキャラクタｓ，ｔ，ｕ，ｖを登場させるための規制解除条件が緩和されたことになる。
【０１７９】
この実施の形態では、サーバ２００のこの遊技機１のカスタマイズのウェブページにおいて、上述のポイントを用いて１店舗制覇券、２店舗制覇券、３店舗制覇券、フリー指名券を手に入れることが可能となっている。
【０１８０】
１店舗制覇券は、上述のように２番目の１つの店舗の全キャストを既に制覇したことにして、その分のキャストを登場させないようにしたものである。
２店舗制覇券は、２番目の店舗のキャストと３番目の店舗キャストを既に制覇したことにして、例えば、８連目から１９連目までの１２個のキャストの表を行わせないようにし、７連目が終了して８連目となった際に特殊Ｄのキャストｓを表示可能とするものである。これにより、特殊キャストｓ，ｔ，ｕ，ｖを選択可能（表示可能）とする規制解除条件が大きく緩和されることになる。１連目から１８連目をカットして、１連目で特殊Ｄのキャストｓを選択可能とし、２連目から４連目で特殊Ｅのキャストｔ，ｕ，ｖを含む全てのキャストａ〜ｖを選択可能とすることができる。
【０１８１】
すなわち、規制解除条件に係わらず最初から特殊Ｄのキャストｓの演出表示の情報である秘密特定演出表示情報を表示可能にすることができる。なお、特殊Ｅのキャストｔ，ｕ，ｖは、２連目から選択可能になり、大幅に規制解除条件が緩和したことになる。
また、フリー指名券は、さらに１連目から特殊Ｅのキャストｔ，ｕ，ｖを含む全てのキャストａ〜ｖを選択可能としたものである。
【０１８２】
なお、上述のように１連目となる初当たりでは、その前が確変状態ではなく、通常の状態となることから、１連目のキャストを用いた特定演出表示は、たとえば、初当たり後の大当たり状態の演出だけとなるので、演出表示の機会が少ない。そこで、上述のように１連目と２連目とを同じキャストとしてもよい。例えば、３店舗制覇券の場合に、１連目と２連目との両方にキャストｓを登場させるものとしてもよい。この場合に、１連目と２連目とが特殊Ｄのキャストｓとなり、３連目から５連目までが全てのキャストａ〜Ｖが選択可能となるものとしてもよい。
【０１８３】
また、指名フリー券の場合も１連目と２連目とを同じキャストが選択されるようにし、３連目と４連目に別のキャストを選択可能としてもよい。
【０１８４】
このサーバ２００における演出表示のカスタマイズにおいては、１連目のキャストから最後のキャストまで、キャストの順番が設定された状態となる。すなわち、カスタマイズする前は、デフォルトの順番の設定となっており、カスタマイズした部分が変更されるようになっている。
【０１８５】
ここで、確変状態における演出表示は、各店舗Ａ〜Ｃのキャストを指名する第１モードと、特殊Ｄのキャストを指名する第２モードと、特殊Ｅのキャストを含む全キャストを指名する第３モードがあることになる。
【０１８６】
また、第１モードには、各店舗に対応する３つのステージが設定されていることになり、各ステージには、それぞれ秘密特定演出情報に対応するトップキャストｆ，ｌ，ｒが配属されていることになる。
【０１８７】
また、第２モードには、特殊Ｄとしての１つのステージに秘密特定演出情報に対応する特殊キャストｓが配属されている。
また、モードには、特殊Ｅとしての１つのステージに秘密特定演出情報に対応する特殊キャストｔ，ｕ，ｖが配属されることになる。
【０１８８】
遊技機１単体の各キャストの選択によりキャストの設定順序の変更では、規制解除条件が成立しないと、トップキャストｆ，ｌ，ｒや特殊キャストｓ，ｔ，ｕ，ｖを選択できない。すなわち、トップキャストｆ，ｌ，ｒは、店舗の他のキャストが全て制覇されないとトップキャストｆ，ｌ，ｒを表示できない。、また、特殊キャストｓは、３店舗の全てのキャストが制覇されないと選択（表示）できない。また、特殊キャストｔ，ｕ，ｖは、特殊キャストｓが制覇されないと選択できない。
【０１８９】
しかし、たとえば、サーバ２００において上述のようにカスタマイズすることにより、例えば、各店舗において、その店舗のトップキャスト以外のキャストを制覇しなくてもトップキャストを他のキャストより早い順序とする設定を可能としてもよい。
【０１９０】
また、遊技機１の遊技履歴に基づいて付与されたポイントを使用して３店舗制覇券を出得することにより、規制解除条件に係わらず、第２モードの特殊Ｄのステージの特殊キャストｓを選択（表示）させることができる。
また、ポイントを用いてフリー指名券を取得することにより、規制解除条件が成立しなくとも第３モードの特殊Ｅのステージの特殊キャストｔ，ｕ，ｖを選択することが可能となる。
【０１９１】
また、第２モードの特殊Ｄのステージや第３モードの特殊Ｅのステージにおいては、１店舗制覇券や２店舗制覇券を用いることにより、特殊キャストｓ，ｔ，ｕ，ｖが表示されるのに必要な確変大当たりの発生回数が少なくなり、規制解除条件が緩和された状態となる。同様に３店舗制覇券を用いることにより特殊キャストｔ，ｕ，ｖが選択可能となる規制解除条件を緩和することになる。
【０１９２】
このようにカスタマイズされたキャストの順番は、上述のパスワードとしての入力コードｗに変換されてサーバ２００から端末１００にウェブページ上の文字列として表示される。これを上述のように遊技機１に入力すると、サブ制御装置３０のＲＡＭ３９ｃに記憶され、通常の状態から確変大当たり（初当たり）が発生すると、入力コードで指定された順番で各キャストの演出表示が開始され、順次確変大当たりが発生して確変状態が連続する際に、入力コードｗで指定された順番でキャストが順次変更される。
【０１９３】
また、上述の１店舗制覇券、２店舗制覇券、３店舗制覇券、フリー指名券を適用することで、順次上述のように順番が設定されるキャストが少なくなる。
したがって、規制解除条件として、２０連目の確変状態とならないと特殊Ｄのキャストｓを登場させることができず、２１連目の確変状態とならないと特殊Ｅのキャストｔ，ｕ，ｖを登場させることができないが、１店舗制覇券を用いれば、例えば、８連目から１３連目までの６つのキャストが登場する６つの特定演出表示情報（秘密特定演出表示情報）の各確変状態における演出表示が省略されることで、特殊Ｄのキャストｓを１４連目の確変状態で登場させることができるとともに、特殊Ｅのキャストｔ，ｕ，ｖを１５連目の確変状態で登場させることが可能となり、これらキャストｓ，ｔ，ｕ，ｖの登場の規制を解除するのに必要な確変状態の連続回数が減少し、規制解除条件が緩和される。
【０１９４】
また、２店舗制覇券では、２店舗、１２個のキャストとしての特定演出表示情報の表示が省略され、特殊Ｄ，Ｅのキャストｓを８連目で登場させ、キャストｔ，ｕ，ｖを９連目で登場させることが可能になる。
【０１９５】
また、３店舗制覇券では、初当たりの際から特殊Ｄのキャストｓが登場可能であり、実質的に規制解除条件が無効になっており、規制解除条件としてキャストｓが登場可能な確変状態の連続回数が設定されていても、それに関係なくキャストｓを演出表示に登場させることができる。
【０１９６】
また、フリー指名券では、初当たりから全てのキャストから誰でも登場させることが可能であり、規制解除条件が完全に無効になった状態である。
また、これらの券を使用するために必要なポイントは、順番が設定されるキャスト、すなわち、各キャストが演出表示に登場する確変状態の回数が少なくなるほど高くなるようになっている。すなわち、１店舗制覇券、２店舗制覇券、３店舗制覇券、フリー指名券の順で取得に必要なポイントが多くなる。
【０１９７】
次に、図４および図５のフローチャートを参照して、順次各キャストに対応する特定演出表示情報をセットして表示させる確変状態演出表示決定処理を説明する。
なお、特定演出表示情報は、確変状態における変動表示ゲームの抽選で決定された変動パターンに対応する演出表示を行うための表示情報であり、主制御装置１４において、確変状態用の変動パターンテーブルを用いて抽選で決定された変動パターンと、設定されたキャスト（キャラクタ）とに対応して記憶されている演出表示のためのデータ群である。
【０１９８】
なお、装飾図柄がスクロールしながら切り替えて表示される変動表示ゲームの通常表示中の背景は、キャストに応じて変更される。たとえば、店舗Ａのキャストａ〜ｆと、店舗Ｂのキャストｇ〜ｌと、店舗Ｃのキャストｍ〜ｒでは、背景が異なるが、さらにキャストによって背景が異なってもよい。なお、ここでの通常表示とは、リーチ演出やその他の演出表示に発展する前または発展しない場合の表示である。
【０１９９】
この確変状態演出表示決定処理は、初当たり時の処理と、それ以後の連荘継続時、すなわち、１連目となる確変大当たりの大当たり状態以後の確変状態とで処理が異なる。
初当たり時の確変状態演出表示決定処理を図４のフローチャートを参照して説明する。
初当たりが発生するか否かが判定され（ステップＳ１）、初当たりが発生しなければ処理を終了する。
【０２００】
初当たりが発生した場合には、遊技システムのサーバ２００のウェブサイトの演出表示のカスタマイズ用ウェブページで演出表示がカスタマイズされ、このカスタマイズにより変更される演出表示の情報が入力コードｗに変換されて、遊技機１に入力された状態か否かが判定される（ステップＳ２）。すなわち、デモンストレーション画面から遊技システムを用いた遊技を開始するために、パスワードとしての入力コードｗが入力されている状態か否かを判定する。
【０２０１】
遊技システムを用いた遊技が行われていない場合には、未だ、キャストを制覇する演出表示（たとえば、口説く演出表示）が行われておらず、制覇状況の情報がない状態であり、制覇状況なしをセットする（ステップＳ３）。
ここで制覇状況とは、例えば、確変大当たりが３度発生し、１店舗目として店舗Ａで選択された（または、デフォルト順の）キャストｃ、キャストｄが既に制覇された状態等の情報である。この場合に、店舗Ａの残りのキャストは、キャストａ、キャストｂ、キャストｅ、キャストｆとなり、これらのキャストが１６ラウンド確変大当たりの場合に、次回の選択可能なキャストとして表示される。すなわち、次に表示されるキャストや選択されるキャストを決定する際に、制覇状況のデータが用いられることになる。
【０２０２】
ここでは、初当たりであり、未だどのキャストも制覇されていないので、上述のように制覇状況なしとされる。また、入力コードｗが入力されていないので、一番目のキャストは、上述のようにデモンストレーション画面で表示させたデフォルトで一番目の店舗の一番目のキャストまたは、デモンストレーション画面で遊技者に選択された店舗の選択されたキャスト（トップキャストを除く）がセットされることになる（ステップＳ４）。
【０２０３】
一方、入力コードｗが入力されて遊技システムのサーバ２００上でカスタマイズされた演出表示の情報に基づいて、演出表示が行われる場合には、例えば、３店舗制覇券やフリー指名券が適用される場合がある。
３店舗制覇券が使用されると、初当たり時に、既に、３つの店舗の全てのキャストが制覇された状態であり、制覇状況のデータには、３店舗の全キャストが制覇されていることが示されている。
【０２０４】
また、フリー指名券が使用されると、制覇状況のデータには、３つの店舗の全てのキャストと特殊Ｄのキャストｓが制覇されていることが示されることになる。
このような各券により演出表示が変更される場合に、制覇状況のデータは、どの券が用いられたかにより変わることになる。なお、１店舗制覇券または２店舗制覇券の使用によっても、制覇状況が変更されるが、これら制覇券で変更されるのは、７連目の確変大当たりの後の確変状態であり、初当たり時の状況には影響を与えない制覇状況である。
【０２０５】
また、券を用いない場合には、未だ１つもキャストを制覇していな状況であり、制覇状況は、遊技機１に入力コードｗを入力しない場合と同様である。
ここでは、遊技機１に入力コードｗが入力されている場合に、券が使用されていなくとも、制覇キャストがない制覇状況をセットする（ステップＳ５）。
【０２０６】
この制覇状況に基づいてキャストが決定されてセットされる（ステップＳ６）。
たとえば、券が用いられていない場合と、１店舗制覇券または２店舗制覇券が用いられている場合の制覇状況では、上述の端末１００とサーバ２００を用いたカスタマイズにより設定された１連目の確変大当たり後の大当たり状態における演出表示で登場するキャストとして、店舗Ａ〜店舗Ｃのいずれかの店舗のキャストがセットされる。
【０２０７】
また、３店舗制覇券が用いられた場合には、上述のキャストとして特殊Ｄのキャストｓが設定される。
また、フリー指名券が用いられた場合には、特殊キャストｓ，ｔ，ｕ，ｖを含む全てのキャストａ〜ｖからカスタマイズ時に選択されたキャストが設定される。
【０２０８】
このようにして、初当たり時のキャストが決定される。初当たり時に、このキャストは、初当たり後の大当たり状態の演出表示に登場することになる。それ以後は、確変状態での変動表示ゲーム（主にスーパーリーチやプレミアムリーチとなる変動表示ゲームや予告演出が行われる変動表示ゲーム）の演出表示と、確変状態で発生した確変大当たり後の大当たり状態での演出表示で設定されたキャストが登場する。
【０２０９】
また、大当たり状態後に発生する確変状態および確変状態で発生した２連目の確変大当たりに基づく大当たり状態の演出では、初当たり後の大当たり状態と同じキャストが登場することになる。
【０２１０】
したがって、初当たり後のさらに大当たり状態後の確変状態のキャストが初当たりの際に設定されることになり、この確変状態における背景が設定されたキャストに応じてセットされる（ステップＳ７）。
これにより、初当たりから次の確変大当たり後の大当たり状態までのキャストが設定される。
【０２１１】
次に、図５のフローチャートを参照して、２連目以降となる確変大当たり後の大当たり状態毎にキャストが設定される２連目確以降の確変状態演出表示決定処理を説明する。確変状態における確変大当たり（２連目以降の確変大当たり）後の大当たり状態が開始される際にこの処理が開始される（ステップＳ１１）。
【０２１２】
大当たり状態中は、ラウンドの進行に応じて演出が実行される（ステップＳ１２）。ここでは、キャストを制覇して、すなわち、口説いて、デートしている演出等が行われる。
この大当たり状態の所定ラウンドとなると、次のキャストの選択を可能とする演出表示が開始される。但し、この演出表示は、９ラウンド以降に行われるようになっており、８ラウンド大当たりの場合には表示されず、１６ラウンド大当たりの場合にだけ次のキャストが選択可能となる。
【０２１３】
キャストの選択の演出表示が開始可能なラウンドになったか否かが判定される（ステップＳ１３）。
上述のように８ラウンド大当たりの場合には、キャスト選択演出がないので、後述のように処理する。
【０２１４】
１連目以後の確変大当たりに基づいて、確変状態が連続する限り、キャストの制覇状況が更新記憶される。現在まで更新記憶された制覇状況を取得し（ステップＳ１４）、現在指名されているキャスト、すなわち、演出表示に設定されているキャストが確変大当たりの発生で制覇されたことになり、制覇状況に現在のキャストが制覇された内容を加えて制覇状況を更新記憶する（ステップＳ１５）。
【０２１５】
これにより、制覇状況の情報を閲覧することにより、既に制覇されたキャストが分かることになり、次に選択可能となるキャストを決定することができる。
次に、規制解除条件としてのフリー指名条件が達成したか否かが判定される（ステップＳ１６）。フリー指名条件が達成されると全てのキャストから自由にキャストを選択して演出表示に登場させることができる。
【０２１６】
ここでは、例えば、券を用いない場合や、入力コードを入力しない２１連目の確変大当たりの発生後の大当たり状態の終了、１店舗制覇券を用いた際の１５連目の確変大当たりの発生後の大当たり状態の終了、２店舗制覇券を用いた際の９連目の確変大当たりの発生後の大当たり状態の終了、３店舗制覇券を用いた際の２連目の確変大当たりの発生後の大当たり状態の終了か、フリー指名券を用いた際の１連目の確変大当たりの発生後の大当たり状態の終了の際にフリー指名条件が成立することになる。なお、フリー指名券を用いた場合に、１連目の確変大当たりの発生時にフリー指名条件が達成したものとしてもよい。
【０２１７】
フリー指名条件が達成していない場合には、制覇状況に応じて次のキャストとして選択可能なキャストが絞られて決定されることになる（ステップＳ１７）。
この場合に、１店舗目のキャストが未だ制覇されていない場合には、１店舗目の店舗に所属するキャストのうちの制覇されていないキャストが選択可能なキャストに設定される。なお、トップキャストは、その店舗で制覇されていないキャストがトップキャストだけとなるまで、選択できない設定となる。
【０２１８】
また、１店舗目のキャストが全て制覇され、２店舗目のキャストが未だ全て制覇されていない制覇状況では、２店舗目に所属するキャストのうちの未だに制覇されていないキャストが選択可能なキャストとなる。
【０２１９】
また、２店舗目のキャストが全て制覇され、３店舗目のキャストが未だ全て制覇されていない制覇状況では、３店舗目に所属するキャストのうちの未だに制覇されていないキャストが選択可能なキャストとなる。
【０２２０】
３店舗目のキャストが全て制覇された場合には、選択可能なキャストは特殊ＤのキャストＳとなる。
なお、特殊Ｄのキャストｓが制覇された場合には、フリー指名条件が成立した状態となる。
【０２２１】
このように制覇状況に応じて決定される選択可能なキャストを遊技者に選択させることが可能なキャスト選択演出が行われる（ステップＳ１８）。
また、フリー指名条件が成立している場合には、特殊キャストｓ，ｔ，ｕ，ｖを含む全てのキャストからキャストを選択可能なキャスト選択演出が行われる（ステップＳ１９）。
【０２２２】
キャスト選択可能演出に対応して遊技者がキャストを選択した場合に、選択されたキャストが設定される（ステップＳ２０）。これにより、上述のように変動パターンとキャストとから変動表示ゲームにおける演出表示が決定される。
【０２２３】
なお、遊技機１に入力コードｗを入力させて未だ出力コードを出力していない状態では、基本的に登場するキャストの順が全て設定された状態となっているので、キャスト選択演出が行われても、キャストを選択する必要がなく、上述のカスタマイズ時に設定された順番でキャストが登場することになる。フリー指名条件が成立した場合も、既にキャストが選択された状態となっている。
【０２２４】
キャストが設定されると、確変状態中の変動表示ゲームの上述の背景がキャストに対応して決定する。
これにより確変大当たりに基づく大当たり状態後の確変状態での演出表示に登場するキャストが決定されたことになる。
【０２２５】
このような遊技機１によれば、遊技に基づく演出中において例えば確変状態となって１６ラウンド大当たりとなることにより選択許可条件が成立すれば、演出内容の決定における所定契機、または、遊技機の操作手段により表示する特定演出表示情報（各キャストに係る演出表示情報）を選択可能とするが、選択許可条件が成立しても複数記憶されている特定演出表示情報のなかから秘密特定演出表示情報（例えば、トップキャストや特殊キャストが登場する演出表示情報）の選択を規制し、ゲーム結果（例えば、遊技中の変動表示ゲームの実行回数、大当たりとなった変動表示ゲームの回数、変動表示ゲーム中に行われるミッション達成型ゲーム（変動表示ゲーム中に行われても変動表示ゲームとは別の種類のゲーム）におけるミッション達成の回数等）で規制解除条件が成立した場合にのみ秘密特定演出表示情報が選択可能になる。この実施の形態では、確変状態の連続数（確変大当たりの連続発生回数）が所定回数となることにより規制解除条件が成立する。
【０２２６】
一方、端末１００が遊技機１から出力されるとともに遊技の履歴が記憶された遊技履歴情報を含む出力コードを読み取ってサーバ２００に出力した際に、遊技履歴情報における遊技の履歴（例えば、遊技中の変動表示ゲームの実行回数、大当たりとなった変動表示ゲームの回数、変動表示ゲーム中に行われるミッション達成型ゲームにおけるミッション達成の回数等）に基づいて付与されるとともに積算された所定のポイントを用いる交換に応じて設定されることにより、サーバにおいて、秘密特定演出表示情報の表示を選択可能にさせることに関する指令情報（演出表示変更情報）が生成できるようになる。
【０２２７】
この秘密特定演出表示情報の表示可能にさせることに関する指令情報を含む演出表示変更情報がサーバ２００から端末１００に入力コードとして送信される。
この入力コードを遊技者の操作に基づいて遊技機１にコード入力手段としての演出ボタン３６を用いて入力すると、この入力コードの入力後の遊技者の操作に基づく出力コードの出力時までの遊技の期間では、規制解除条件が成立していなくとも、上述のフリー指名券の情報を含む入力コードが入力されていれば、遊技に基づく演出中において秘密特定演出表示情報としての特殊キャストやトップキャストが登場する演出情報を遊技機の演出表示手段に表示する（選択可能とする）ことができる。
【０２２８】
または、秘密特定演出表示情報の表示に規制解除条件の成立を必要とするが、上述の入力コードの入力に基づいて規制解除条件が緩和される。例えば、上述の１店舗制覇券、２店舗制覇券、３店舗制覇券等の制覇券の情報が入力コードに含まれていれば、特殊キャストが登場する演出表示情報の表示の規制解除条件が緩和された状態になる。
【０２２９】
以上の構成によれば、遊技者の操作に基づく遊技システムを用いなくても秘密特定演出表示情報を選択して表示できる場合があるという演出表示の変更規制が可能であっても、さらに、遊技者の操作に基づく遊技システムを用いることにより、遊技機単独では、規制解除条件が成立するまで、表示させることができない秘密特定演出表示情報を意図的に表示可能になる。
規制解除条件の成立が難しいものである場合に、例えば、遊技する時間が少ない遊技者の多くは、規制解除条件を解除できず秘密特定演出表示情報を演出表示手段に表示させる（選択可能とする）ことができず、見たくても見られない。
また、遊技する時間が多い遊技者であっても、必ずしも規制解除条件を成立させて秘密特定演出表示情報を見られるわけではない。
【０２３０】
この場合に、遊技に基づくゲーム結果で、規制解除条件を成立させて秘密特定演出表示情報が表示された場合に、遊技者は大きな達成感を得られる可能性が高い。
しかし、多くの遊技者は、秘密特定演出表示情報を見ることができないが、上述の所定のサーバ２００にアクセス可能とする遊技システムの利用可能条件を満たす（例えば、会員となる）ことにより、遊技履歴情報に基づいて清算されるポイントを貯めれば見ることが困難な（成立が難しい規制解除条件に係る）秘密特定演出表示情報を意図的に見られるか、見られる可能性が高くなる。
【０２３１】
これにより、例えば、遊技者に遊技システムの会員になることを促すことができる。
この場合に、遊技者は、成立が困難な規制解除条件を解除しなくとも遊技システムの会員となって遊技履歴情報に基づいて積算されるポイントを所定のサーバ２００にて貯めることにより、遊技者の操作による入力確変状態の遊技に基づく演出中においてコードの入力に基づいて秘密特定演出表示情報を見る機会を増やすことができることから、秘密特定演出表示情報を表示させるために、規制解除条件を成立させようとして、過剰に遊技に投資してしまうのを防止できるとともに、ポイントを貯めるためにある程度遊技店で遊技する必要があることから、遊技者および遊技店の両方にとって効果のある発明となる。
【０２３２】
また、秘密特定演出表示情報が複数あるとともに、これら秘密特定演出表示情報が互いに異なる演出カテゴリに係る複数のモード（例えば、可変表示装置３の画面に係るステージ）に分けられているので、遊技システムに係るサーバ側において、各モードのステージを選択し、選択されたステージに属するポイントの値（互いに異なる値、または同一の値を含む）に応じた設定により秘密特定演出表示情報を選択させることに関する指令情報（演出表示変更情報；；入力コード）を生成させることができるようになる。
【０２３３】
この場合に、各ステージの秘密特定演出表示情報を選択する際に、それぞれポイントを必要とするようにすれば、遊技者は所有するポイント（所定ポイントを用いる交換に応じて設定される入力コードの態様種類）に応じて、複数のステージを選択対象としたり、１つのステージを選択対象としたりすることが可能である。
これにより、遊技者によっては、多くのポイントを貯めなくとも、自分が見たいステージの秘密特定演出表示情報を見る（規制解除条件の無効または緩和の）ために少な目の第１ポイント値を交換に使ったり、全てのステージの全ての秘密特定演出表示情報を見るために第１ポイント値よりも多い第２ポイント値を貯めて交換に使ったりすることができる。例えば、制覇券やフリー指名券を用いずに、指定する店舗のトップキャストの演出表示を選択することにより、少ないポイントで、指定する店舗のトップキャストの演出表示を早く見ることができる。また、交換ポイントが最も高いフリー指名券をポイントと交換することにより、いつでも見たいキャストの演出表示を選択することができる。
すなわち、遊技者のポイント交換の使い方に多くのバリエーションが増えることになり、遊技者にポイント交換を使う楽しみや、ポイントを貯める楽しみをより多く提供することができる。
【０２３４】
言い換えれば、遊技システムを用いなくても遊技機１単体で演出表示の変更として、確変状態が連続する際に、各確変状態で演出表示の主体となるキャラクタの順序を、所定の選択条件の範囲内で選択可能となるキャラクタから次のキャラクタを選択することにより、各キャラクタの表示順序が変更可能となる。
【０２３５】
この選択条件は、１つのステージ（店舗）内のキャラクタ（キャスト）が全て制覇されないと、次のステージのキャラクタを選択できないという条件や、上述のような規制解除条件が成立しないと、トップキャストや特殊キャストを選択できないという条件である。
【０２３６】
それに対して、遊技システムを用いてサーバ２００でカスタマイズを行う場合には、規制解除条件を緩和したり、規制解除条件や選択条件を無効にしたりすることができる。
【０２３７】
すなわち、上述のように１店舗制覇券や２店舗制覇券や３店舗制覇券を用いることにより規制解除条件を緩和して、特殊キャスト等の表示の規制解除条件としての確変状態の繰り返し回数を少なくすることができる。また、フリー指名券を用いれば、初当たりからトップキャストや特殊キャストを含む全てのキャストから選択されたキャストを登場させることができる。
【０２３８】
次に。本発明の第２の実施の形態を説明する。
第２の実施の形態において、遊技システム、遊技機１は、第１の実施の形態と同様である。また、第１の実施形態では、遊技機１単体でのキャストの選択において、最初の店舗で、トップキャストを除く５つのキャストからキャストを選択可能となり、確変大当たり後の大当たり状態でキャストを選択する度に選択可能なキャストが減少し、１店舗目のキャストを全て制覇すると、次の店舗のキャストを選択可能となっていた。
【０２３９】
それに対して、第２の実施形態では、確変大当たりとなると、選択可能なキャスト（キャラクタ）が増加し、確変大当たり後の大当たり状態で選択するキャストが増加するようになっている。
【０２４０】
例えば、最初に選択可能なキャストが例えば２つだったのに、２つのキャストから１つのキャストを選択すると、選択範囲が１つ増えて、３つのキャストから１つのキャストを選択可能になる。
【０２４１】
例えば、１つのキャストを制覇すると、残りのキャストに対して２つキャストが増えることにより、選択可能なキャストの数が１つ増えることになる。なお、キャストが一回に増える数は、１つより多くてもよい。また、選択可能なキャストが増えるタイミングは、例えば、確変状態での確変大当たりの発生であるが、例えば、確変状態の連続回数としての連荘数が所定回数となったときなどであってもよい。
【０２４２】
すなわち、確変状態で確変大当たりが発生する度に選択肢の数を増やすのではなく、例えば、連荘回数が２，４，６，８等の設定回数となる際の確変大当たりの発生時に選択肢を増加させるものとしてもよい。
【０２４３】
また、連荘の回数が所定回数となった場合に、上述の特殊キャストと同様に選択できずに隠されている１つ以上の特殊キャストが出現するようになっている。この際の特殊キャストは、例えば、第１の実施の形態のトップキャストに対応するものであってもよい。
また、１つ以上の特殊キャストを制覇することにより、ステージとしての１店舗がクリアされたことになり、次の店舗としてのステージに移行することになる。また、上述のように設定されている店舗を全て制覇した際には、上述のように特殊キャストを選択可能になったり、特殊キャストを含む全キャストを選択可能になったりしてもよい。
【０２４４】
それに対してサーバ２００でポイントを用いてカスタマイズした際には、選択肢の数を最初から最大となる数や、最大より少ない設定された数に拡大可能になっている。カスタマイズが行われる場合の選択肢の数は、例えば、上述の特殊キャスト（トップキャスト）が登場する連荘の回数時の選択肢の数であるが、それ以外の数であってもよい。なお、サーバ２００上で、拡大された選択肢の範囲から各キャストの順序を設定するものとしてもよいし、カスタマイズ処理では、選択肢の範囲を強制的に拡大させるだけで、各キャストの選択は、入力コードを入力しなかった場合と同様に遊技機１で行うものとしてもよい。
【０２４５】
また、特殊キャストを最初から選択可能とするものとしてもよいし、例えば、遊技機１単独で特殊キャストが選択可能となる確変の連続回数となったときに、遊技機１単独の場合と同様に特殊キャストが登場するものとしてもよい。また、ポイントを使って特殊キャスト指名券や、フリー指名券等を取得することで特殊キャストを最初から指名可能としてもよい。
【０２４６】
以下に、図６および図７のフローチャートを参照して、サブ制御装置３０で行われる大当たり時演出決定処理と、大当たり状態演出決定処理を説明する。
図６の大当たり時演出決定処理では、大当たりか否かが判定される（ステップＳ３１）。
【０２４７】
大当たりでない場合には処理を終了する。大当たりの場合には、ポイントを用いたカスタマイズ処理におけるカスタマイズ情報（演出表示変更情報）が入力コードｗとして入力されているか否かを判定する（ステップＳ３２）。
【０２４８】
入力コードｗが入力されている場合には、上述のようにキャストの選択肢の数を所定数まで拡大する（ステップＳ３３）。この際には、遊技機１単独の操作で、選択肢の数が所定数となるまで確変状態が繰り返された場合に、上述のように特殊キャラクタが登場する連荘回数以上となるものとし、選択肢となるキャラクタに規制解除条件としての所定の連荘回数とならないと選択できない特殊キャラクタを含める。これにより、キャラクタの選択肢の範囲を強制的に拡大した場合に、所定の連荘回数とならなくても特殊キャラクタを選択可能になる。
【０２４９】
次に、大当たりは、確変大当たりか否かを判定する（ステップＳ３４）。
なお、ここでは、確変状態が連続して行われている可能性があり、連荘の継続か終了かが判定されることになる。連荘が継続する場合には、連荘の回数は特殊キャストが登場する連荘数か否かが判定され（ステップＳ３５）、特殊キャストが登場する連荘数の場合に、大当たり後の確変状態の変動表示ゲームで特殊キャストを主体とする演出が行われるようになる（ステップＳ３６）。
【０２５０】
ステップＳ３５で、特殊キャストが登場する連荘回数でない場合には、確変大当たりが発生して連荘数が増加することに基づいて、キャストの選択肢の数を１増加する（ステップＳ３７）。すなわち、選択可能なキャストを２つ増加する。この１つ拡大されたキャストの選択肢の数が更新記憶される（ステップＳ３８）。
【０２５１】
なお、確変大当たりが連続して発生する場合には、順次、記憶されたキャストの選択肢の数を１増加してキャストの選択肢の数を更新記憶する。
ステップＳ３４で、連荘でないと判定された場合に、入力コードｗの入力が為されていない場合に、確変状態が終了して通常の状態となることから、確変状態が連続することに応じて拡大させて更新記憶したキャストの選択肢の数の記憶を初期化する（ステップＳ３９）。
【０２５２】
次に、図７を参照して、確変大当たり後の大当たり状態における大当たり状態演出決定処理を説明する。
大当たり状態の１ラウンド目の開始のタイミングか否かを判定する（ステップＳ４１）。１ラウンド目でない場合に処理を終了する。
【０２５３】
１ラウンド目の場合に制覇状況に応じて、店舗Ａ〜Ｃのいずれの店舗（ステージ）かを判断して決定し、対応するステージにおける選択肢となるキャストを上述のように決定された選択肢の範囲で選択可能なキャストを表示する（ステップＳ４２）。
【０２５４】
キャストの選択に使用される演出ボタン３６を有効にし、キャストの選択のための操作を可能にする（ステップＳ４３）。
演出ボタン３６の操作により、選択肢の範囲のキャストからキャストが選択されたか否かを判定する（ステップＳ４４）。
【０２５５】
演出ボタン３６によりキャストが選択されていない場合に、演出ボタン３６の操作が有効となっている所定の有効期間が経過したか否かを判定する（ステップＳ４５）。
ここでの有効期間は、例えば、上述の一ラウンド目の最小期間より短いものとしてもよいし、一ラウンド目が終了するまでの期間としてもよいし、一ラウンド目の最小期間より長い期間で、この期間が終了するまで、一ラウンド目が終了してもキャストの選択画面が表示されるものとしてもよい。
【０２５６】
キャストが演出ボタン３６の操作で選択された場合、または、演出ボタン３６の有効期間が終了した場合に、選択されたキャストや上述の制覇状況に応じて残っているキャストのうちのデフォルト順の最も早いキャスト（自動で選択されるキャスト）がメインの演出用のキャストとして設定される（ステップＳ４６）。
【０２５７】
このような遊技機１によれば、連荘回数が増加することに対応してキャラクタ（キャスト）の選択肢が減少せずに順次拡大していくので、遊技者の興趣が高められる。
しかし、選択可能なキャラクタが増加することから全てのキャラクタを制覇することができず、次のステージ（店舗）に移行する際に、選択されていないキャラクタが残ることになる。
【０２５８】
この際に、後から追加されるキャラクタは、キャラクタが追加される連荘回数となるまで確変状態が連続しないと選択できない。また、特殊キャラクタも特殊キャラクタが登場する所定の連荘回数とならないと表示されない。
【０２５９】
それに対して、サーバ２００上でポイントを用いて演出のカスタマイズを行うことにより、後から追加されるキャラクタや特殊キャラクタを連荘回数が少ない状態で選択可能になり、連荘回数が多くならなくとも、多彩なキャラクタの演出を見ることができる。
【０２６０】
それにより、遊技システムの会員の登録が増加する可能性を高めることができる。それに基づいて遊技システムに対応する遊技機１で遊技する遊技者が増加する可能性を高めることができる。
【０２６１】
なお、特定演出表示情報のキャラクタをキャバクラのキャストとしたが、キャラクタは、例えば、格闘技等のスポーツの試合や各種の戦闘（バトル）等により制覇されたり、倒されたり、負けたりすることが可能なキャラクタであってもよい。また、特定演出表示情報の種類がキャラクタではなく、例えば、ミッション達成型ゲームの種類であってもよい。すなわち、確変状態が継続する場合にミッションが達成されるものとし、複数種類のミッションを順番に達成していくような演出であってもよい。
【０２６２】
また。上述のステージまたはグループは店舗ではなく、スポーツのチームや試合会場や戦闘のチームや戦闘地域や国等であってもよい。
【０２６３】
以上、本発明者によってなされた発明を適用した実施の形態について説明したが、この実施の形態による本発明の開示の一部をなす論述および図面により本発明は限定されることはない。すなわち、この実施の形態に基づいて当業者等によりなされる他の実施の形態、実施例および運用技術等は全て本発明の範疇に含まれることは勿論であることを付け加えておく。
【符号の説明】
【０２６４】
１        遊技機
３        可変表示装置（演出表示手段、コード出力手段、コード入力手段）
１４      主制御装置（抽選手段、状態制御手段、当たり種類決定手段）
３０      サブ制御装置（演出表示制御手段、遊技演出変更手段、コード出力手段、遊技履歴情報記憶手段）
３６      演出ボタン（コード入力手段、操作手段）
１００    端末
２００    サーバ
【図１】
2014230574.tif 000005
【図２】
2014230574.tif 000006
【図３】
2014230574.tif 000007
【図４】
2014230574.tif 000008
【図５】
2014230574.tif 000009
【図６】
2014230574.tif 000010
【図７】
2014230574.tif 000011